(57)【要約】ダウンリンク信号の監視方法、送信方法、パラメータ構成方法及び装置を提供する。該方法は、端末装置がアンテナポート疑似コロケーションパラメータに基づいてダウンリンク信号を監視するステップを含み、該アンテナポート疑似コロケーションパラメータは、第１セル及び／又は第２セルに関連し、或いは第１参照信号インデックス及び第２参照信号インデックスに関連する。これによって、ネットワーク装置が端末装置のために複数のキャリアを構成している場合であっても、端末装置は、ダウンリンク信号を受信するためのアンテナポート疑似コロケーションパラメータを正確に決定することができる。【選択図】図４
2021532644.tif 000002
【特許請求の範囲】
【請求項１】
ダウンリンク信号の監視装置であって、
アンテナポート疑似コロケーションパラメータに基づいてダウンリンク信号を監視する監視部、を含み、
前記アンテナポート疑似コロケーションパラメータは、第１セル及び／又は第２セルに関連する、装置。
【請求項２】
前記第１セルは、前記ダウンリンク信号に対応する参照信号インデックスに関連付けられたセル、前記ダウンリンク信号に対応する物理ランダムアクセスチャネル伝送を送信するセル、及び前記ダウンリンク信号に対応するビーム障害回復手順を開始するセルの少なくとも１つを含み、
前記第２セルは、端末装置が前記ダウンリンク信号を監視する際に所在するセル、スペシャルセル、及び前記スペシャルセル以外の非スペシャルセルの少なくとも１つを含む、請求項１に記載の装置。
【請求項３】
前記スペシャルセルは、デュアルコネクティビティの場合のマスタセルグループのプライマリセル、デュアルコネクティビティの場合のセカンダリセルグループのプライマリセル、及び非デュアルコネクティビティの場合のプライマリセルの少なくとも１つを含む、請求項２に記載の装置。
【請求項４】
前記参照信号インデックスは、上位層により提供され、上位層により構成された候補ビーム参照信号リストから前記端末装置により選択され、
前記参照信号は、チャネル状態情報参照信号、同期信号、物理ブロードキャストチャネルの少なくとも１つを含む、請求項２に記載の装置。
【請求項５】
前記監視部は、前記第１セルと前記第２セルとが同一である場合、前記第１セルに関連付けられた参照信号インデックスに関連付けられたアンテナポート疑似コロケーションパラメータに基づいて前記ダウンリンク信号を監視し、且つ／或いは
前記監視部は、前記第１セルと前記第２セルとが異なる場合、前記第２セルに関連付けられたアンテナポート疑似コロケーションパラメータに基づいて前記ダウンリンク信号を監視する、請求項１に記載の装置。
【請求項６】
前記監視部は、前記第１セルと前記第２セルとが異なり、且つ前記ダウンリンク信号を監視するための制御リソースセットに対応するアクティブ化された伝送構成指示状態がない場合、前記第１セルに関連付けられた参照信号インデックスに関連付けられたアンテナポート疑似コロケーションパラメータに基づいて前記ダウンリンク信号を監視し、且つ／或いは
前記監視部は、前記第１セルと前記第２セルとが異なり、且つ前記ダウンリンク信号を監視するための制御リソースセットに対応するアクティブ化された伝送構成指示状態がある場合、前記第２セルに関連付けられたアンテナポート疑似コロケーションパラメータに基づいて前記ダウンリンク信号を監視する、請求項１に記載の装置。
【請求項７】
前記監視部は、前記第１セルと前記第２セルとが異なり、且つ上位層構成パラメータが構成されておらず、或いは第１状態に構成されている場合、前記第１セルに関連付けられた参照信号インデックスに関連付けられたアンテナポート疑似コロケーションパラメータに基づいて前記ダウンリンク信号を監視し、且つ／或いは
前記監視部は、前記第１セルと前記第２セルとが異なり、且つ上位層構成パラメータが構成されておらず、或いは第２状態に構成されている場合、前記第２セルに関連付けられたアンテナポート疑似コロケーションパラメータに基づいて前記ダウンリンク信号を監視する、請求項１に記載の装置。
【請求項８】
前記上位層構成パラメータは、ネットワーク装置により構成され、前記疑似コロケーションパラメータを取得するために用いられ、前記上位層構成パラメータは、前記第１状態又は前記第２状態に構成することができ、且つ／或いは
前記上位層構成パラメータは、１つのセルのビーム障害回復構成に含まれ、或いはプライマリセルのビーム障害回復構成のみにおいて構成される、請求項７に記載の装置。
【請求項９】
前記第２セルに関連付けられたアンテナポート疑似コロケーションパラメータは、
前記ダウンリンク信号に対応する物理ランダムアクセスチャネル伝送に関連付けられた参照信号のアンテナポート疑似コロケーションパラメータ、
ダウンリンク制御情報と前記ダウンリンク制御情報によりスケジュールされた物理ダウンリンク共有チャネルとの間隔が所定閾値よりも小さい場合の、前記物理ダウンリンク共有チャネルを受信するためのアンテナポート疑似コロケーションパラメータ、
前記ダウンリンク信号を監視するための制御リソースセットに対応するアクティブ化された伝送構成指示状態に対応するアンテナポート疑似コロケーションパラメータ、
前記ダウンリンク信号を監視するための制御リソースセットに対応するアクティブ化された伝送構成指示状態がない場合の、セルのアクティブ化された帯域幅部分において前記端末装置のために構成された１つ又は複数の制御リソースセットにおける最も低い制御リソースセットインデックスを有する最新のスロットの物理ダウンリンク制御チャネル疑似コロケーション指示のためのパラメータ、
前記ダウンリンク信号を監視するための制御リソースセットに対応するアクティブ化された伝送構成指示状態がある場合の、前記ダウンリンク信号を監視するための制御リソースセットに対応するアクティブ化された伝送構成指示状態に対応するアンテナポート疑似コロケーションパラメータ、及び
前記ダウンリンク信号を監視するための制御リソースセットに対応するアクティブ化された伝送構成指示状態がない場合の、セルのアクティブ化された帯域幅部分において前記端末装置のために構成された１つ又は複数の制御リソースセットにおける最も低い制御リソースセットインデックスを有する最新のスロットの物理ダウンリンク制御チャネル疑似コロケーション指示のためのパラメータ、前記ダウンリンク信号を監視するための制御リソースセットに対応するアクティブ化された伝送構成指示状態がある場合の、前記ダウンリンク信号を監視するための制御リソースセットに対応するアクティブ化された伝送構成指示状態に対応するアンテナポート疑似コロケーションパラメータの少なくとも１つを含む、請求項１に記載の装置。
【請求項１０】
ダウンリンク信号の送信装置であって、
アンテナポート疑似コロケーションパラメータに基づいて端末装置にダウンリンク信号を送信する信号送信部、を含み、
前記アンテナポート疑似コロケーションパラメータは、第１セル及び／又は第２セルに関連する、装置。
【請求項１１】
前記端末装置に、前記ダウンリンク信号を監視するための監視パラメータ及び／又は上位層構成パラメータを指示するための情報を送信するパラメータ送信部、をさらに含み、
前記上位層構成パラメータは、前記端末装置がアンテナポート疑似コロケーションパラメータを取得するように指示する、請求項１０に記載の装置。
【請求項１２】
前記上位層構成パラメータが構成されておらず、或いは第１状態に構成されている場合、前記上位層構成パラメータは、前記端末装置が同一の疑似コロケーションパラメータを用いて前記第１セル及び前記第２セルのダウンリンク信号を監視するように指示する、請求項１１に記載の装置。
【請求項１３】
前記上位層構成パラメータは、前記端末装置が前記第１セルに関連付けられた参照信号インデックスに関連付けられたアンテナポート疑似コロケーションパラメータを用いて前記第１セルの前記ダウンリンク信号及び前記第２セルの前記ダウンリンク信号を監視するように指示する、請求項１２に記載の装置。
【請求項１４】
前記上位層構成パラメータが構成されておらず、或いは第２状態に構成されている場合、前記上位層構成パラメータは、前記端末装置が異なる疑似コロケーションパラメータを用いて前記第１セル及び前記第２セルの前記ダウンリンク信号を監視するように指示する、請求項１１に記載の装置。
【請求項１５】
前記上位層構成パラメータは、
前記端末装置が前記第１セルに関連付けられた参照信号インデックスに関連付けられたアンテナポート疑似コロケーションパラメータを用いて前記第１セルの前記ダウンリンク信号を監視するように指示し、
前記端末装置が前記第２セルに関連付けられたアンテナポート疑似コロケーションパラメータを用いて前記第２セルの前記ダウンリンク信号を監視するように指示する、請求項１４に記載の装置。
【請求項１６】
ダウンリンク信号の監視装置であって、
アンテナポート疑似コロケーションパラメータに基づいてダウンリンク信号を監視する監視部、を含み、
前記アンテナポート疑似コロケーションパラメータは、第１参照信号インデックス及び第２参照信号インデックスに関連する、装置。
【請求項１７】
前記第１参照信号インデックスは、上位層により構成された候補ビームパラメータリストから端末装置により選択され、
前記第２参照信号インデックスは、伝送構成指示状態構成情報から前記端末装置により選択される、請求項１６に記載の装置。
【請求項１８】
前記伝送構成指示状態構成情報は、前記ダウンリンク信号を監視するための制御リソースセットに対応する伝送構成指示状態構成情報である、請求項１７に記載の装置。
【請求項１９】
前記監視部は、前記第２参照信号インデックスが提供されている場合、前記第２参照信号インデックスに関連付けられたアンテナポート疑似コロケーションパラメータに基づいて前記ダウンリンク信号を監視し、そうでない場合、前記第１参照信号インデックスに関連付けられたアンテナポート疑似コロケーションパラメータに基づいて前記ダウンリンク信号を監視する、請求項１６に記載の装置。
【請求項２０】
前記監視部は、前記第２参照信号インデックスが特定値である場合、前記第２参照信号インデックスに関連付けられたアンテナポート疑似コロケーションパラメータに基づいて前記ダウンリンク信号を監視し、そうでない場合、前記第１参照信号インデックスに関連付けられたアンテナポート疑似コロケーションパラメータに基づいて前記ダウンリンク信号を監視する、請求項１６に記載の装置。
【発明の詳細な説明】
【技術分野】
【０００１】
本発明の実施例は、通信技術分野に関し、特にダウンリンク信号の監視方法、送信方法、パラメータ構成方法及び装置に関する。
【背景技術】
【０００２】
高周波通信のシナリオでは、通信リンクは、例えば天候、障害物、方向や角度の変化などの物理的条件の影響を受けやすく、元のビーム方向での伝送障害を引き起こす可能性がある。ビーム障害回復の技術は、主にこのようなシナリオを対象としており、様々な方向のビーム電力の測定結果を用いて、新しい信頼性の高いビーム方向を迅速に特定し、リンクの迅速な回復を完了する。
【０００３】
ビーム障害回復（ＢＦＲ：Ｂｅａｍ  Ｆａｉｌｕｒｅ  Ｒｅｃｏｖｅｒｙ）の技術は、シングルキャリアのシナリオで非常に効果的であるだけでなく、マルチキャリアのシナリオでも重要な役割を果たすことができる。マルチキャリアのシナリオでは、端末装置は、１つのネットワーク装置（例えば基地局）又は複数のネットワーク装置に接続することができる。１つの端末装置の異なるキャリアが異なる方向のネットワーク装置に同時に接続されている場合、空間的方向は相対的に独立しているため、特定のタイミングに、該異なるキャリアでの接続の一部のみについてビーム障害が発生する可能性がある。この場合、このシナリオに応じてビーム障害回復技術を最適化する必要がある。例えば、システムの堅牢性を向上させるために、ビーム障害が発生していないキャリアを用いてパラメータ測定やデータ伝送などを行う。
【０００４】
なお、背景技術に関する上記の説明は、単なる本発明の構成をより明確、完全に説明するためのものであり、当業者を理解させるために説明するものである。これらの構成が本発明の背景技術の部分に説明されているから当業者にとって周知の技術であると解釈してはならない。
【発明の概要】
【発明が解決しようとする課題】
【０００５】
しかし、本発明の発明者の発見により、ネットワーク装置が端末装置のために複数のキャリアを構成している場合、端末装置は、ダウンリンク信号（例えばビーム障害回復応答（ＢＦＲ  ｒｅｓｐｏｎｓｅ）を受信するためのアンテナポート疑似コロケーション（ＱＣＬ：Ｑｕａｓｉ−Ｃｏ−Ｌｏｃａｔｉｏｎ）パラメータ（例えば、ビーム指示と称されてもよい）を決定できない場合がある。
【０００６】
上記の問題の少なくとも１つを鑑み、本発明の実施例は、ダウンリンク信号の監視方法、送信方法、パラメータ構成方法及び装置を提供する。
【課題を解決するための手段】
【０００７】
本発明の実施例の第１態様では、ダウンリンク信号の監視方法であって、端末装置がアンテナポート疑似コロケーションパラメータに基づいてダウンリンク信号を監視するステップ、を含み、前記アンテナポート疑似コロケーションパラメータは、第１セル及び／又は第２セルに関連する、方法を提供する。
【０００８】
本発明の実施例の第２態様では、ダウンリンク信号の監視装置であって、アンテナポート疑似コロケーションパラメータに基づいてダウンリンク信号を監視する監視部、を含み、前記アンテナポート疑似コロケーションパラメータは、第１セル及び／又は第２セルに関連する、装置を提供する。
【０００９】
本発明の実施例の第３態様では、ダウンリンク信号の送信方法であって、ネットワーク装置がアンテナポート疑似コロケーションパラメータに基づいて端末装置にダウンリンク信号を送信するステップ、を含み、前記アンテナポート疑似コロケーションパラメータは、第１セル及び／又は第２セルに関連する、方法を提供する。
【００１０】
本発明の実施例の第４態様では、ダウンリンク信号の送信装置であって、アンテナポート疑似コロケーションパラメータに基づいて端末装置にダウンリンク信号を送信する信号送信部、を含み、前記アンテナポート疑似コロケーションパラメータは、第１セル及び／又は第２セルに関連する、装置を提供する。
【００１１】
本発明の実施例の第５態様では、ダウンリンク信号の監視方法であって、端末装置がアンテナポート疑似コロケーションパラメータに基づいてダウンリンク信号を監視するステップ、を含み、前記アンテナポート疑似コロケーションパラメータは、第１参照信号インデックス及び第２参照信号インデックスに関連する、方法を提供する。
【００１２】
本発明の実施例の第６態様では、ダウンリンク信号の監視装置であって、アンテナポート疑似コロケーションパラメータに基づいてダウンリンク信号を監視する監視部、を含み、前記アンテナポート疑似コロケーションパラメータは、第１参照信号インデックス及び第２参照信号インデックスに関連する、装置を提供する。
【００１３】
本発明の実施例の第７態様では、ダウンリンク信号の送信方法であって、ネットワーク装置がアンテナポート疑似コロケーションパラメータに基づいて端末装置にダウンリンク信号を送信するステップ、を含み、前記アンテナポート疑似コロケーションパラメータは、第１参照信号インデックス及び第２参照信号インデックスに関連する、方法を提供する。
【００１４】
本発明の実施例の第８態様では、ダウンリンク信号の送信装置であって、アンテナポート疑似コロケーションパラメータに基づいて端末装置にダウンリンク信号を送信する信号送信部、を含み、前記アンテナポート疑似コロケーションパラメータは、第１参照信号インデックス及び第２参照信号インデックスに関連する、装置を提供する。
【００１５】
本発明の実施例の第９態様では、端末装置と、ネットワーク装置と、を含む、通信システムであって、前記端末装置は、上記の第２態様又は第６態様に記載のダウンリンク信号の監視装置を含み、前記ネットワーク装置は、上記の第４態様又は第８態様に記載のダウンリンク信号の送信装置を含む、通信システムを提供する。
【００１６】
本発明の実施例の１つの有利な効果は以下の通りである。端末装置は、アンテナポート疑似コロケーションパラメータに基づいてダウンリンク信号を監視し、該アンテナポート疑似コロケーションパラメータは、第１セル及び／又は第２セルに関連し、或いは第１参照信号インデックス及び第２参照信号インデックスに関連する。これによって、ネットワーク装置が端末装置のために複数のキャリアを構成している場合であっても、端末装置は、ダウンリンク信号を受信するためのアンテナポート疑似コロケーションパラメータを正確に決定することができるため、受信ビームと送信ビームの不整合による不要なリンク障害を回避することができ、ダウンリンク信号を正確に受信することができる。
【００１７】
本発明の実施例のもう１つの有利な効果は以下の通りである。ネットワーク装置は、アンテナポート疑似コロケーションパラメータに基づいてダウンリンク信号を送信し、該アンテナポート疑似コロケーションパラメータは、第１セル及び／又は第２セルに関連し、或いは第１参照信号インデックス及び第２参照信号インデックスに関連する。これによって、ネットワーク装置が端末装置のために複数のキャリアを構成している場合であっても、ネットワーク装置は、ダウンリンク信号を送信するためのアンテナポート疑似コロケーションパラメータを正確に決定することができるため、受信ビームと送信ビームの不整合による不要なリンク障害を回避することができ、ダウンリンク信号を正確に送信することができる。
【００１８】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００１９】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００２０】
なお、本文では、用語「含む／有する」は、特徴、部材、ステップ又は構成要件が存在することを意味し、一つ又は複数の他の特徴、部材、ステップ又は構成要件の存在又は付加を排除しない。
【図面の簡単な説明】
【００２１】
本発明の実施例の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】本発明の実施例の通信システムの１つの概略図である。
【図２】ビーム障害回復手順を開始するサービングセルと該ビーム障害回復応答を受信するサービングセルとが同一であるシナリオの１つの概略図である。
【図３】ビーム障害回復手順を開始するサービングセルと該ビーム障害回復応答を受信するサービングセルとが異なるシナリオの１つの概略図である。
【図４】本発明の実施例のダウンリンク信号の監視方法の１つの概略図である。
【図５】本発明の実施例のダウンリンク信号の監視方法のもう１つの概略図である。
【図６】本発明の実施例のダウンリンク信号の送信方法の１つの概略図である。
【図７】本発明の実施例の上位層パラメータの構成方法の１つの概略図である。
【図８】本発明の実施例のダウンリンク信号の監視方法の１つの概略図である。
【図９】本発明の実施例のダウンリンク信号の送信方法の１つの概略図である。
【図１０】本発明の実施例のダウンリンク信号の監視装置の１つの概略図である。
【図１１】本発明の実施例のダウンリンク信号の送信装置の１つの概略図である。
【図１２】本発明の実施例のネットワーク装置の１つの概略図である。
【図１３】本発明の実施例の端末装置の１つの概略図である。
【発明を実施するための形態】
【００２２】
本発明の上記及び他の特徴は以下の説明により明らかになる。明細書及び図面において、本発明の特定の実施形態が詳細に開示され、本発明の原理を採用できる実施形態の一部が示される。なお、本発明は説明される実施形態に限定されない。本発明は、添付される特許請求の範囲内の全ての変更されたもの、変形されたもの及び均等的なものを含む。以下は、図面を参照しながら本発明の各実施形態を説明する。これらの実施形態は単なる例示的なものであり、本発明を制限するものではない。
【００２３】
本発明の実施例では、用語「第１」、「第２」などは、タイトルで異なる要素を区別するために用いられるが、これらの要素の空間的配列又は時間的順序などを表すものではなく、これらの要素はこれらの用語に制限されない。用語「及び／又は」は、関連するリストに列挙された用語の１つ又は複数のうち何れか１つ及び全ての組み合わせを含む。用語「含む」、「包括する」、「有する」などは、列挙された特徴、要素、素子又は構成部材の存在を意味するが、１つ又は複数の他の特徴、要素、素子又は構成部材の存在又は追加を排除するものではない。
【００２４】
本発明の実施例では、単数形の「１つ」、「該」などは複数形を含み、「１種類」又は「１類」と広義的に理解されるべきであり、「１個」に限定されない。また、用語「前記」は、文脈がそうでないことを明確に示さない限り、単数形及び複数形両方を含むと理解されるべきである。また、文脈がそうでないことを明確に示さない限り、用語「に記載の」は「少なくとも一部に記載の」と理解されるべきであり、用語「に基づいて」は「少なくとも一部に基づいて」と理解されるべきである。
【００２５】
本発明の実施例では、用語「通信ネットワーク」又は「無線通信ネットワーク」は、例えばロングタームエボリューション（ＬＴＥ：Ｌｏｎｇ  Ｔｅｒｍ  Ｅｖｏｌｕｔｉｏｎ）、進化したロングタームエボリューション（ＬＴＥ−Ａ、ＬＴＥ−Ａｄｖａｎｃｅｄ）、広帯域符号分割多元接続（ＷＣＤＭＡ(登録商標)：Ｗｉｄｅｂａｎｄ  Ｃｏｄｅ  Ｄｉｖｉｓｉｏｎ  Ｍｕｌｔｉｐｌｅ  Ａｃｃｅｓｓ）、高速パケットアクセス（ＨＳＰＡ：Ｈｉｇｈ−Ｓｐｅｅｄ  Ｐａｃｋｅｔ  Ａｃｃｅｓｓ）などの任意の通信規格に適合するネットワークを意味してもよい。
【００２６】
また、通信システムにおける装置間の通信は、任意の段階の通信プロトコルに従って行われてもよく、該通信プロトコルは、例えば１Ｇ（ｇｅｎｅｒａｔｉｏｎ）、２Ｇ、２．５Ｇ、２．７５Ｇ、３Ｇ、４Ｇ、４．５Ｇ、及び将来の５Ｇ、新しい無線（ＮＲ：Ｎｅｗ  Ｒａｄｉｏ）等、及び／又は現在の既知の他の通信プロトコル若しくは将来開発される他の通信プロトコルを含んでもよいが、これらに限定されない。
【００２７】
本発明の実施例では、用語「ネットワーク装置」は、例えば通信システムに端末装置をアクセスさせて該端末装置にサービスを提供する通信システム内の装置を意味する。ネットワーク装置は、基地局（ＢＳ：Ｂａｓｅ  Ｓｔａｔｉｏｎ）、アクセスポイント（ＡＰ：Ａｃｃｅｓｓ  Ｐｏｉｎｔ）、送受信ポイント（ＴＲＰ：Ｔｒａｎｓｍｉｓｓｉｏｎ  Ｒｅｃｅｐｔｉｏｎ  Ｐｏｉｎｔ）、ブロードキャスト送信機、モビリティ管理エンティティ（ＭＭＥ：Ｍｏｂｉｌｅ  Ｍａｎａｇｅｍｅｎｔ  Ｅｎｔｉｔｙ）、ゲートウェイ、サーバ、無線ネットワークコントローラ（ＲＮＣ：Ｒａｄｉｏ  Ｎｅｔｗｏｒｋ  Ｃｏｎｔｒｏｌｌｅｒ）、基地局コントローラ（ＢＳＣ：Ｂａｓｅ  Ｓｔａｔｉｏｎ  Ｃｏｎｔｒｏｌｌｅｒ）などを含んでもよいが、これらに限定されない。
【００２８】
そのうち、基地局は、ノードＢ（ＮｏｄｅＢ又はＮＢ）、進化ノードＢ（ｅＮｏｄｅＢ又はｅＮＢ）、及び５Ｇ基地局（ｇＮＢ）など、並びにリモート無線ヘッド（ＲＲＨ：Ｒｅｍｏｔｅ  Ｒａｄｉｏ  Ｈｅａｄ）、リモート無線ユニット（ＲＲＵ：Ｒｅｍｏｔｅ  Ｒａｄｉｏ  Ｕｎｉｔ）、中継装置（ｒｅｌａｙ）又は低電力ノード（例えばｆｅｍｔｏ、ｐｉｃｏなど）を含んでもよいが、これらに限定されない。また、用語「基地局」はそれらの機能の一部又は全てを含んでもよく、各基地局は特定の地理的エリアに対して通信カバレッジを提供してもよい。用語「セル」は、該用語が使用されるコンテキストに応じて、基地局及び／又はそのカバレッジエリアを意味してもよい。
【００２９】
本発明の実施例では、用語「ユーザ装置」（ＵＥ：Ｕｓｅｒ  Ｅｑｕｉｐｍｅｎｔ）又は用語「端末装置」（ＴＥ：Ｔｅｒｍｉｎａｌ  Ｅｑｕｉｐｍｅｎｔ）は、例えばネットワーク装置を介して通信ネットワークにアクセスし、ネットワークサービスを受ける装置を意味する。端末装置は、固定的なもの又は移動的なものであってもよく、移動局（ＭＳ：Ｍｏｂｉｌｅ  Ｓｔａｔｉｏｎ）、端末、加入者ステーション（ＳＳ：Ｓｕｂｓｃｒｉｂｅｒ  Ｓｔａｔｉｏｎ）、アクセス端末（ＡＴ：Ａｃｃｅｓｓ  Ｔｅｒｍｉｎａｌ）、ステーションなどと称されてもよい。
【００３０】
そのうち、端末装置は、携帯電話（Ｃｅｌｌｕｌａｒ  Ｐｈｏｎｅ）、パーソナルデジタルアシスタント（ＰＤＡ：Ｐｅｒｓｏｎａｌ  Ｄｉｇｉｔａｌ  Ａｓｓｉｓｔａｎｔ）、無線変復調装置、無線通信装置、ハンドヘルドデバイス、マシンタイプ通信装置、ラップトップコンピュータ、コードレス電話、スマートフォン、スマートウォッチ、デジタルカメラなどを含んでもよいが、これらに限定されない。
【００３１】
例えば、モノのインターネット（ＩｏＴ：Ｉｎｔｅｒｎｅｔ  ｏｆ  Ｔｈｉｎｇｓ）などのシナリオでは、端末装置は、監視又は測定を行う機器又は装置であってもよく、例えばマシンタイプ通信（ＭＴＣ：Ｍａｃｈｉｎｅ  Ｔｙｐｅ  Ｃｏｍｍｕｎｉｃａｔｉｏｎ）端末、車載通信端末、デバイスツーデバイス（Ｄ２Ｄ：Ｄｅｖｉｃｅ  ｔｏ  Ｄｅｖｉｃｅ）端末、マシンツーマシン（Ｍ２Ｍ：Ｍａｃｈｉｎｅ  ｔｏ  Ｍａｃｈｉｎｅ）端末などを含んでもよいが、これらに限定されない。
【００３２】
また、用語「ネットワーク側」又は「ネットワーク装置側」とは、ネットワークの側を意味し、基地局であってもよいし、上記の１つ又は複数のネットワーク装置を含んでもよい。用語「ユーザ側」又は「端末装置側」とは、ユーザ又は端末の側を意味し、ＵＥであってもよいし、上記の１つ又は複数の端末装置を含んでもよい。
【００３３】
以下は、一例を参照しながら本発明の実施例のシナリオを説明するが、本発明はこれに限定されない。
【００３４】
図１本発明の実施例の通信システムの概略図であり、端末装置及びネットワーク装置の例を概略的に示している。図１に示すように、通信システム１００は、ネットワーク装置１０１及び端末装置１０２を含んでもよい。説明の便宜上、図１は、１つのみの端末装置及び１つのみのネットワーク装置を一例にして説明するが、本発明の実施例はこれに限定されない。
【００３５】
本発明の実施例では、ネットワーク装置１０１と端末装置１０２との間では、既存のトラフィック又は将来に実装可能なトラフィックを行うことができる。例えば、これらのトラフィックは、拡張モバイルブロードバンド（ｅＭＢＢ：ｅｎｈａｎｃｅｄ  Ｍｏｂｉｌｅ  Ｂｒｏａｄｂａｎｄ）、大規模マシンタイプ通信（ｍＭＴＣ：ｍａｓｓｉｖｅ  Ｍａｃｈｉｎｅ  Ｔｙｐｅ  Ｃｏｍｍｕｎｉｃａｔｉｏｎ）及び高信頼性低遅延通信（ＵＲＬＬＣ：Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）などを含んでもよいが、これらに限定されない。
【００３６】
ビーム障害回復を一例にすると、例えば、ビーム障害検出に関連する条件が満たされる場合、対応するランダムアクセス手順が開始され、ビーム障害回復応答は、対応するランダムアクセス応答（ＲＡＲ：Ｒａｎｄｏｍ  Ａｃｃｅｓｓ  Ｒｅｓｐｏｎｓｅ）である。即ち、ビーム障害回復手順は、ビーム障害回復のためのランダムアクセス手順（ｒａｎｄｏｍ  ａｃｃｅｓｓ  ｐｒｏｃｅｄｕｒｅ  ｆｏｒ  ｂｅａｍ  ｆａｉｌｕｒｅ  ｒｅｃｏｖｅｒｙ）として理解されてもよい。ネットワーク装置が端末装置のために複数のキャリアを構成している場合、端末装置は、ビーム障害回復応答を受信するためのアンテナポート疑似コロケーションパラメータを決定できない可能性がある。
【００３７】
図２はビーム障害回復手順を開始するサービングセルと該ビーム障害回復応答を受信するサービングセルとが同一であるシナリオの１つの概略図である。図２に示すように、サービングセル１がビーム障害回復手順を開始した後、依然としてサービングセル１がビーム障害回復応答を受信する。
【００３８】
図３はビーム障害回復手順を開始するサービングセルと該ビーム障害回復応答を受信するサービングセルとが異なるシナリオの１つの概略図である。図３に示すように、サービングセル１がビーム障害回復手順を開始した後、サービングセル２がビーム障害回復応答を受信する場合がある。
【００３９】
サービングセル１とサービングセル２に対応する基地局の空間的位置が異なる場合、図２と図３に対応する端末装置がランダムアクセス応答を受信するためのアンテナポート疑似コロケーションパラメータは異なる。しかし、現在の標準によると、端末装置は、図２と図３に対応するシナリオを区別する能力を有していない。従って、端末装置は、図２と図３の２つのシナリオについて、依然として同一のアンテナポート疑似コロケーションパラメータを用いるため、ランダムアクセス応答を正確に受信できなくなる。
【００４０】
以下は、本発明の実施例を説明する。なお、本発明の実施例では、ビーム障害回復応答又はランダムアクセス応答を一例にして説明するが、本発明はこれに限定されず、他の同様なダウンリンク信号に適用されてもよい。また、本発明の実施例は、ビーム障害回復のシナリオに限定されず、他の同様なシナリオに適用されてもよい。また、サービングセルはセルの部分集合であり、混同を引き起こさない限り、以下はそれを区別しなくてもよい。
【００４１】
＜実施例１＞
本発明の実施例はダウンリンク信号の監視方法を提供し、端末装置側から説明する。図４は、本発明の実施例のダウンリンク信号の監視方法の１つの概略図である。図４に示すように、該方法は、以下のステップを含む。
【００４２】
ステップ４０２：端末装置はアンテナポート疑似コロケーションパラメータに基づいてダウンリンク信号を監視する。ここで、該アンテナポート疑似コロケーションパラメータは、第１セル及び／又は第２セルに関連する。
【００４３】
図４に示すように、該方法は、以下のステップをさらに含んでもよい。
【００４４】
ステップ４０１：端末装置はネットワーク装置により送信された監視パラメータを受信する。
【００４５】
本実施例では、該第１セルは、該ダウンリンク信号に対応する参照信号インデックスに関連付けられたセル、該ダウンリンク信号に対応する物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）伝送を送信するセル、及び該ダウンリンク信号に対応するビーム障害回復手順を開始するセルの少なくとも１つを含んでもよいが、本発明はこれに限定されない。
【００４６】
本実施例では、該第２セルは、該端末装置が該ダウンリンク信号を監視する際に所在するセル、スペシャルセル（Ｓｐｃｅｌｌ）、及び該スペシャルセル以外の非スペシャルセルの少なくとも１つを含んでもよい。該スペシャルセルは、デュアルコネクティビティの場合のマスタセルグループ（ＭＣＧ）のプライマリセル（ＰＣｅｌｌ）、デュアルコネクティビティの場合のセカンダリセルグループ（ＳＣＧ）のプライマリセル（ＰＳＣｅｌｌ）、及び非デュアルコネクティビティの場合のプライマリセルの少なくとも１つを含んでもよいが、本発明はこれに限定されない。
【００４７】
例えば、該参照信号インデックス（例えばｑｎｅｗで表される）は、上位層により提供され、上位層により構成された候補ビーム参照信号リストｃａｎｄｉｄａｔｅＢｅａｍＲＳＬｉｓｔから該端末装置により選択される。該参照信号は、チャネル状態情報参照信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）、同期信号（ＳＳ：Ｓｙｎｃｈｒｏｎｉｚａｔｉｏｎ  Ｓｉｇｎａｌ）、物理ブロードキャストチャネル（ＰＢＣＨ：Ｐｈｙｓｉｃａｌ  Ｂｒｏａｄｃａｓｔ  Ｃｈａｎｎｅｌ）の少なくとも１つを含んでもよい。ここで、上位層は、メディアアクセス制御（ＭＡＣ：Ｍｅｄｉａ  Ａｃｃｅｓｓ  Ｃｏｎｔｒｏｌ）層又は無線リソース制御（ＲＲＣ：Ｒａｄｉｏ  Ｒｅｓｏｕｒｃｅ  Ｃｏｎｔｒｏｌ）層などを含んでもよいが、本発明はこれに限定されない。
【００４８】
本実施例では、ダウンリンク信号は、ビーム障害回復応答、ランダムアクセス応答、セル無線ネットワーク一時識別子（Ｃ−ＲＮＴＩ：Ｃｅｌｌ  Ｒａｄｉｏ  Ｎｅｔｗｏｒｋ  Ｔｅｍｐｏｒａｒｙ  Ｉｄｅｎｔｉｆｉｅｒ）により周期的冗長性プレフィックス（ＣＲＣ：Ｃｙｃｌｉｃ  Ｒｅｄｕｎｄａｎｃｙ  Ｃｈｅｃｋ）をスクランブルしたダウンリンク制御情報（ＤＣＩ：Ｄｏｗｎｌｉｎｋ  Ｃｏｎｔｒｏｌ  Ｉｎｆｏｒｍａｔｉｏｎ）の少なくとも１つを含んでもよい。ここで、該ダウンリンク制御情報は、上位層により構成されたビーム障害回復を受信するためのランダムアクセス応答（ＢＦＲ  ＲＡＲ）の探索空間（例えばｒｅｃｏｖｅｒｙＳｅａｒｃｈＳｐａｃｅＩｄ）で受信されてもよいが、本発明はこれに限定されない。
【００４９】
図５は本発明の実施例のダウンリンク信号の監視方法の１つの概略図であり、ビーム障害回復を一例にして端末装置側及びネットワーク装置側から説明する。図５に示すように、該方法に以下のステップを含む。
【００５０】
ステップ５０１：端末装置はネットワーク装置により送信された監視パラメータを受信する。
【００５１】
例えば、監視パラメータは、制御リソースセット（ＣＯＲＥＳＥＴ）における伝送構成指示（ＴＣＩ：Ｔｒａｎｓｍｉｓｓｉｏｎ  Ｃｏｎｆｉｇｕｒａｔｉｏｎ  Ｉｎｄｉｃａｔｏｒ）状態、ビーム障害回復構成などを含んでもよく、ＲＲＣメッセージを介して構成されてもよい。これらの監視パラメータについて、関連技術を参照してもよく、ここでその説明を省略する。
【００５２】
ステップ５０２：端末装置はネットワーク装置にビーム障害回復要求を送信する。
【００５３】
例えば、ビーム障害回復手順が端末装置の上位層（例えば、ＭＡＣ層）により開始されると、上位層は、該ビーム障害回復手順に対応するビーム障害応答に関連する参照信号のインデックスｑｎｅｗを提供する。ｑｎｅｗは、上位層により構成された候補ビーム参照信号リスト（例えば、ｃａｎｄｉｄａｔｅＢｅａｍＲＳＬｉｓｔ）から上位層により選択された参照信号インデックスであり、ｑｎｅｗに関連付けられたサービングセル又はｑｎｅｗに対応するランダムアクセス手順が発生するセルはｃ１（第１セル）である。端末装置は該サービングセルｃ１でビーム障害回復要求を送信してもよい。
【００５４】
ステップ５０３：端末装置はアンテナポート疑似コロケーションパラメータに基づいてダウンリンク信号を監視する。ここで、該アンテナポート疑似コロケーションパラメータは、第１セル及び／又は第２セルに関連する。
【００５５】
例えば、端末装置のプライマリサービングセル（ＰＣｅｌｌ）がｃ２（第２セル）である場合、端末装置は、第１セル及び／又は第２のセルに基づいて該アンテナポート疑似コロケーションパラメータを決定してもよい。決定方法の詳細は、後述する実施例を参照してもよい。
【００５６】
ステップ５０４：端末装置は該アンテナポート疑似コロケーションパラメータを用いてビーム障害回復応答を受信する。
【００５７】
なお、以上は図４又は図５を参照しながら本発明の実施例を例示的に説明しているが、本発明はこれに限定されない。例えば、各ステップ間の実行順序を適宜調整してもよいし、他のステップを追加したり、ステップを削除したりしてもよい。当業者は、上記の内容に基づいて適宜変形を行ってもよく、上記の図４又は図５の記載に限定されない。
【００５８】
以下は、複数の態様を例にして、アンテナポート疑似コロケーションパラメータの決定方法を説明する。
【００５９】
１つの態様では、該端末装置は、該第１セルと該第２セルとが同一である場合、該第１セルに関連付けられた参照信号インデックスに関連付けられたアンテナポート疑似コロケーションパラメータに基づいて該ダウンリンク信号を監視する。
【００６０】
例えば、ビーム障害回復手順が上位層により開始されると、上位層は、該ビーム障害回復手順に対応するビーム障害応答に関連する参照信号インデックスｑｎｅｗを提供する。ここで、ｑｎｅｗは、上位層により構成された候補ビーム参照信号リスト（例えば、ｃａｎｄｉｄａｔｅＢｅａｍＲＳＬｉｓｔ）から上位層により選択された参照信号インデックスであり、ｑｎｅｗに関連付けられたサービングセル又はｑｎｅｗに対応するランダムアクセス手順が発生するセルはｃ１である。端末装置が該ダウンリンク信号を監視する際に所在するサービングセルはｃ２である。ｃ１とｃ２とが同一である場合、即ちｃ１がＳｐＣｅｌｌである場合（例えば、該ダウンリンク信号を監視するためのサービングセルがＳｐＣｅｌｌのみである場合）、端末装置は、ｑｎｅｗに関連付けられたアンテナポート疑似コロケーションパラメータに基づいてダウンリンク信号を監視する。ここで、該ｑｎｅｗに関連付けられたアンテナポート疑似コロケーションパラメータが、ｑｎｅｗにより指示される候補ビーム参照信号リストにおける対応する参照信号であると理解されてもよい。
【００６１】
また、ｑｎｅｗに関連付けられたサービングセルは、ビーム障害手順を開始する対応するサービングセルと同一であってもよい。ｑｎｅｗに関連付けられたサービングセルは、対応するビーム障害報告（例えばＰＲＡＣＨ、ＭＡＣ  ＣＥ）を送信するセルと同一であってもよい。
【００６２】
もう１つの態様では、該端末装置は、該第１セルと該第２セルとが異なり、且つ該ダウンリンク信号を監視するための制御リソースセット（ＣＯＲＥＳＥＴ）に対応するアクティブ化されたＴＣＩ状態がない場合、該第１セルに関連付けられた参照信号インデックスに関連付けられたアンテナポート疑似コロケーションパラメータに基づいて該ダウンリンク信号を監視する。
【００６３】
例えば、ビーム障害回復手順が上位層により開始されると、上位層は、該ビーム障害回復手順に対応するビーム障害応答に関連する参照信号のインデックスｑｎｅｗを提供する。ここで、ｑｎｅｗは、上位層により構成された候補ビーム参照信号リスト（例えば、ｃａｎｄｉｄａｔｅＢｅａｍＲＳＬｉｓｔ）から上位層により選択された参照信号インデックスであり、ｑｎｅｗに関連付けられたサービングセル又はｑｎｅｗに対応するランダムアクセス手順が発生するセルはｃ１である。端末装置が該ダウンリンク信号を監視する際に所在するサービングセルはｃ２である。ｃ１とｃ２とが異なり、即ちｃ１が非ＳｐＣｅｌｌであり（例えば、該ダウンリンク信号を監視するためのサービングセルがＳｐＣｅｌｌのみである場合）、且つ該ダウンリンク信号を監視するためのＣＯＲＥＳＥＴに対応するアクティブ化されたＴＣＩ状態がない場合、端末装置は、ｑｎｅｗに関連付けられたアンテナポート疑似コロケーションパラメータに基づいてダウンリンク信号を監視する。ここで、該ｑｎｅｗに関連付けられたアンテナポート疑似コロケーションパラメータが、ｑｎｅｗにより指示される候補ビーム参照信号リストにおける対応する参照信号であると理解されてもよい。
【００６４】
また、ｑｎｅｗに関連付けられたサービングセルは、ビーム障害手順を開始する対応するサービングセルと同一であってもよい。ｑｎｅｗに関連付けられたサービングセルは、対応するビーム障害報告（例えばＰＲＡＣＨ、ＭＡＣ  ＣＥ）を送信するセルと同一であってもよい。
【００６５】
もう１つの態様では、該端末装置は、該第１セルと該第２セルとが異なり、且つ上位層構成パラメータが構成されておらず、或いは第１状態に構成されている場合、該第１セルに関連付けられた参照信号インデックスに関連付けられたアンテナポート疑似コロケーションパラメータに基づいて該ダウンリンク信号を監視する。
【００６６】
ここで、該上位層構成パラメータは、ネットワーク装置により構成され、該疑似コロケーションパラメータを取得するために用いられてもよい。該上位層構成パラメータは、該第１状態（例えば無効（ｄｉｓａｂｌｅ））又は第２状態（例えば有効（ｅｎａｂｌｅ））に構成することができる。
【００６７】
この態様では、上記の上位層構成情報は、例えば、ＳＣｅｌｌ＿ＳｐＣｅｌｌ＿Ｄｉｆｆ＿ＱＣＬ＿Ｆｌａｇであってもよい。
【００６８】
例えば、ビーム障害回復手順が上位層により開始されると、上位層は、該ビーム障害回復手順に対応するビーム障害応答に関連する参照信号インデックスｑｎｅｗを提供する。ここで、ｑｎｅｗは、上位層により構成された候補ビーム参照信号リストｃａｎｄｉｄａｔｅＢｅａｍＲＳＬｉｓｔから上位層により選択された参照信号インデックスであり、ｑｎｅｗに関連付けられたサービングセル又はｑｎｅｗに対応するランダムアクセス手順が発生するセルはｃ１である。端末装置が該ダウンリンク信号を監視する際に所在するサービングセルはｃ２である。ｃ１とｃ２とが異なり、即ちｃ１が非ＳｐＣｅｌｌであり（例えば、該ダウンリンク信号を監視するためのサービングセルがＳｐＣｅｌｌのみである場合）、且つ上位層構成情報が無効に構成されている（例えば、ＳＣｅｌｌ＿ＳｐＣｅｌｌ＿Ｄｉｆｆ＿ＱＣＬ＿Ｆｌａｇ＝ｄｉｓａｂｌｅ）場合、端末装置は、ｑｎｅｗに関連付けられたアンテナポート疑似コロケーションパラメータに基づいてダウンリンク信号を監視する。ここで、該ｑｎｅｗに関連付けられたアンテナポート疑似コロケーションパラメータが、ｑｎｅｗにより指示される候補ビーム参照信号リストにおける対応する参照信号であると理解されてもよい。
【００６９】
この態様では、上位層構成情報が無効に構成されている場合、端末装置がサービングセルｃ２のＢＦＲ応答及びｃ２以外の他のサービングセルのＢＦＲ応答を監視する際に、同一のアンテナポート疑似コロケーションパラメータに基づいてＢＦＲ応答を監視してもよい。或いは、ＢＦＲ応答がＳｐＣｅｌｌでのみ監視されるシナリオでは、上位層構成情報が無効に構成されている場合、端末装置は、同一のアンテナポート疑似コロケーションパラメータに基づいて非ＳｐＣｅｌｌのＢＦＲ応答及びＳｐＣｅｌｌ  ＢＦＲ応答を監視する。
【００７０】
また、ｑｎｅｗに関連付けられたサービングセルは、ビーム障害手順を開始する対応するサービングセルと同一であってもよい。ｑｎｅｗに関連付けられたサービングセルは、対応するビーム障害報告（例えばＰＲＡＣＨ、ＭＡＣ  ＣＥ）を送信するセルと同一であってもよい。
【００７１】
もう１つの態様では、該端末装置は、該第１セルと該第２セルとが異なる場合、該第２セルに関連付けられたアンテナポート疑似コロケーションパラメータに基づいて該ダウンリンク信号を監視する。
【００７２】
例えば、ビーム障害回復手順が上位層により開始されると、上位層は、該ビーム障害回復手順に対応するビーム障害応答に関連する参照信号のインデックスｑｎｅｗを提供する。ここで、ｑｎｅｗは、上位層により構成された候補ビーム参照信号リストｃａｎｄｉｄａｔｅＢｅａｍＲＳＬｉｓｔから上位層により選択された参照信号インデックスであり、ｑｎｅｗに関連付けられたサービングセル又はｑｎｅｗに対応するランダムアクセス手順が発生するセルはｃ１である。端末装置が該ダウンリンク信号を監視する際に所在するサービングセルはｃ２である。ｃ１とｃ２とが異なり、即ちｃ１が非ＳｐＣｅｌｌである場合（例えば、該ダウンリンク信号を監視するためのサービングセルがＳｐＣｅｌｌのみである場合）、端末装置は、サービングセルｃ２（又はＳｐＣｅｌｌ）のアンテナポート疑似コロケーションパラメータに基づいてダウンリンク信号を監視してもよい。
【００７３】
この態様では、該第２セルに関連付けられたアンテナポート疑似コロケーションパラメータは、以下のパラメータの少なくとも１つを含んでもよい。
【００７４】
該ダウンリンク信号に対応する物理ランダムアクセスチャネル（ＰＲＡＣＨ）伝送に関連付けられた参照信号のアンテナポート疑似コロケーションパラメータ。
【００７５】
ダウンリンク制御情報（ＤＣＩ）と該ＤＣＩによりスケジュールされた物理ダウンリンク共有チャネル（ＰＤＳＣＨ）との間隔が所定閾値よりも小さい場合の、該ＰＤＳＣＨを受信するためのアンテナポート疑似コロケーションパラメータ。例えば、該パラメータは、ＱＣＬ  ｐａｒａｍｅｔｅｒ（ｓ）  ｕｓｅｄ  ｆｏｒ  ＰＤＣＣＨ  ｑｕａｓｉ  ｃｏ−ｌｏｃａｔｉｏｎ  ｉｎｄｉｃａｔｉｏｎ  ｏｆ  ｔｈｅ  ｌｏｗｅｓｔ  ＣＯＲＥＳＥＴ−ＩＤ  ｉｎ  ｔｈｅ  ｌａｔｅｓｔ  ｓｌｏｔ  ｉｎ  ｗｈｉｃｈ  ｏｎｅ  ｏｒ  ｍｏｒｅ  ＣＯＲＥＳＥＴｓ  ｗｉｔｈｉｎ  ｔｈｅ  ａｃｔｉｖｅ  ＢＷＰ  ｏｆ  ｔｈｅ  ｓｅｒｖｉｎｇ  ｃｅｌｌ  ａｒｅ  ｃｏｎｆｉｇｕｒｅｄ  ｆｏｒ  ｔｈｅ  ＵＥであってもよい。
【００７６】
該ダウンリンク信号を監視するための制御リソースセット（ＣＯＲＥＳＥＴ）に対応するアクティブ化されたＴＣＩ状態に対応するアンテナポート疑似コロケーションパラメータ。
【００７７】
該ダウンリンク信号を監視するためのＣＯＲＥＳＥＴに対応するアクティブ化されたＴＣＩ状態がない場合の、セルのアクティブ化された帯域幅部分（ＢＷＰ：Ｂａｎｄｗｉｄｔｈ  Ｐａｒｔ）において該端末装置のために構成された１つ又は複数の制御リソースセットにおける最も低い制御リソースセットインデックスを有する最新のスロットの物理ダウンリンク制御チャネル（ＰＤＣＣＨ）疑似コロケーション指示のためのパラメータ（例えば、ＱＣＬ  ｐａｒａｍｅｔｅｒ（ｓ）  ｕｓｅｄ  ｆｏｒ  ＰＤＣＣＨ  ｑｕａｓｉ  ｃｏ−ｌｏｃａｔｉｏｎ  ｉｎｄｉｃａｔｉｏｎ  ｏｆ  ｔｈｅ  ｌｏｗｅｓｔ  ＣＯＲＥＳＥＴ−ＩＤ  ｉｎ  ｔｈｅ  ｌａｔｅｓｔ  ｓｌｏｔ  ｉｎ  ｗｈｉｃｈ  ｏｎｅ  ｏｒ  ｍｏｒｅ  ＣＯＲＥＳＥＴｓ  ｗｉｔｈｉｎ  ｔｈｅ  ａｃｔｉｖｅ  ＢＷＰ  ｏｆ  ｔｈｅ  ｓｅｒｖｉｎｇ  ｃｅｌｌ  ａｒｅ  ｃｏｎｆｉｇｕｒｅｄ  ｆｏｒ  ｔｈｅ  ＵＥ）。
【００７８】
該ダウンリンク信号を監視するためのＣＯＲＥＳＥＴに対応するアクティブ化されたＴＣＩ状態がある場合の、該ダウンリンク信号を監視するためのＣＯＲＥＳＥＴに対応するアクティブ化されたＴＣＩ状態に対応するアンテナポート疑似コロケーションパラメータ。
【００７９】
該ダウンリンク信号を監視するためのＣＯＲＥＳＥＴに対応するアクティブ化されたＴＣＩ状態がない場合の、セルのアクティブ化された帯域幅部分において該端末装置のために構成された１つ又は複数の制御リソースセットにおける最も低い制御リソースセットインデックスを有する最新のスロットの物理ダウンリンク制御チャネル（ＰＤＣＣＨ）疑似コロケーション指示のためのパラメータ（例えば、ＱＣＬ  ｐａｒａｍｅｔｅｒ（ｓ）  ｕｓｅｄ  ｆｏｒ  ＰＤＣＣＨ  ｑｕａｓｉ  ｃｏ−ｌｏｃａｔｉｏｎ  ｉｎｄｉｃａｔｉｏｎ  ｏｆ  ｔｈｅ  ｌｏｗｅｓｔ  ＣＯＲＥＳＥＴ−ＩＤ  ｉｎ  ｔｈｅ  ｌａｔｅｓｔ  ｓｌｏｔ  ｉｎ  ｗｈｉｃｈ  ｏｎｅ  ｏｒ  ｍｏｒｅ  ＣＯＲＥＳＥＴｓ  ｗｉｔｈｉｎ  ｔｈｅ  ａｃｔｉｖｅ  ＢＷＰ  ｏｆ  ｔｈｅ  ｓｅｒｖｉｎｇ  ｃｅｌｌ  ａｒｅ  ｃｏｎｆｉｇｕｒｅｄ  ｆｏｒ  ｔｈｅ  ＵＥ）、或いは、該ダウンリンク信号を監視するためのＣＯＲＥＳＥＴに対応するアクティブ化されたＴＣＩ状態がある場合の、該ダウンリンク信号を監視するためのＣＯＲＥＳＥＴに対応するアクティブ化されたＴＣＩ状態に対応するアンテナポート疑似コロケーションパラメータ。
【００８０】
また、ｑｎｅｗに関連付けられたサービングセルは、ビーム障害手順を開始する対応するサービングセルと同一であってもよい。ｑｎｅｗに関連付けられたサービングセルは、対応するビーム障害報告（例えばＰＲＡＣＨ、ＭＡＣ  ＣＥ）を送信するセルと同一であってもよい。
【００８１】
もう１つの態様では、該端末装置は、該第１セルと該第２セルとが異なり、且つ該ダウンリンク信号を監視するための制御リソースセット（ＣＯＲＥＳＥＴ）に対応するアクティブ化された伝送構成指示（ＴＣＩ）状態がある場合、該第２セルに関連付けられたアンテナポート疑似コロケーションパラメータに基づいて該ダウンリンク信号を監視する。
【００８２】
例えば、ビーム障害回復手順が上位層により開始されると、上位層は、該ビーム障害回復手順に対応するビーム障害応答に関連する参照信号のインデックスｑｎｅｗを提供する。ここで、ｑｎｅｗは、上位層により構成された候補ビーム参照信号リストｃａｎｄｉｄａｔｅＢｅａｍＲＳＬｉｓｔから上位層により選択された参照信号インデックスであり、ｑｎｅｗに関連付けられたサービングセル又はｑｎｅｗに対応するランダムアクセス手順が発生するセルはｃ１である。端末装置が該ダウンリンク信号を監視する際に所在するサービングセルはｃ２である。ｃ１とｃ２とが異なり、即ちｃ１がＳＣｅｌｌであり（例えば、該ダウンリンク信号を監視するためのサービングセルがＳｐＣｅｌｌのみである場合）、且つ該ダウンリンク信号を監視するためのＣＯＲＥＳＥＴに対応するアクティブ化されたＴＣＩ状態がある場合、端末装置は、サービングセルＣ１（又はＳｐＣｅｌｌ）に対応するアンテナポート疑似コロケーションパラメータに基づいてダウンリンク信号を監視する。
【００８３】
この態様では、該第２セルに関連付けられたアンテナポート疑似コロケーションパラメータは、以下のパラメータの少なくとも１つを含んでもよい。
【００８４】
該ダウンリンク信号に対応する物理ランダムアクセスチャネル（ＰＲＡＣＨ）伝送に関連付けられた参照信号のアンテナポート疑似コロケーションパラメータ。
【００８５】
ＤＣＩと該ＤＣＩによりスケジュールされた物理ダウンリンク共有チャネル（ＰＤＳＣＨ）との間隔が所定閾値よりも小さい場合の、該ＰＤＳＣＨを受信するためのアンテナポート疑似コロケーションパラメータ。例えば、該パラメータは、ＱＣＬ  ｐａｒａｍｅｔｅｒ（ｓ）  ｕｓｅｄ  ｆｏｒ  ＰＤＣＣＨ  ｑｕａｓｉ  ｃｏ−ｌｏｃａｔｉｏｎ  ｉｎｄｉｃａｔｉｏｎ  ｏｆ  ｔｈｅ  ｌｏｗｅｓｔ  ＣＯＲＥＳＥＴ−ＩＤ  ｉｎ  ｔｈｅ  ｌａｔｅｓｔ  ｓｌｏｔ  ｉｎ  ｗｈｉｃｈ  ｏｎｅ  ｏｒ  ｍｏｒｅ  ＣＯＲＥＳＥＴｓ  ｗｉｔｈｉｎ  ｔｈｅ  ａｃｔｉｖｅ  ＢＷＰ  ｏｆ  ｔｈｅ  ｓｅｒｖｉｎｇ  ｃｅｌｌ  ａｒｅ  ｃｏｎｆｉｇｕｒｅｄ  ｆｏｒ  ｔｈｅ  ＵＥであってもよい。
【００８６】
該ダウンリンク信号を監視するための制御リソースセット（ＣＯＲＥＳＥＴ）に対応するアクティブ化されたＴＣＩ状態に対応するアンテナポート疑似コロケーションパラメータ。
【００８７】
また、ｑｎｅｗに関連付けられたサービングセルは、ビーム障害手順を開始する対応するサービングセルと同一であってもよい。ｑｎｅｗに関連付けられたサービングセルは、対応するビーム障害報告（例えばＰＲＡＣＨ、ＭＡＣ  ＣＥ）を送信するセルと同一であってもよい。
【００８８】
もう１つの態様では、該端末装置は、該第１セルと該第２セルとが異なり、且つ上位層構成パラメータが構成されておらず、或いは第２状態に構成されている場合、該第２セルに関連付けられたアンテナポート疑似コロケーションパラメータに基づいて該ダウンリンク信号を監視する。
【００８９】
例えば、ビーム障害回復手順が上位層により開始されると、上位層は、該ビーム障害回復手順に対応するビーム障害応答に関連する参照信号のインデックスｑｎｅｗを提供する。ここで、ｑｎｅｗは、上位層により構成された候補ビーム参照信号リストｃａｎｄｉｄａｔｅＢｅａｍＲＳＬｉｓｔから上位層により選択された参照信号インデックスであり、ｑｎｅｗに関連付けられたサービングセル又はｑｎｅｗに対応するランダムアクセス手順が発生するセルはｃ１である。端末装置が該ダウンリンク信号を監視する際に所在するサービングセルはｃ２である。ｃ１とｃ２とが異なり、即ちｃ１が非ＳｐＣｅｌｌであり（例えば、該ダウンリンク信号を監視するためのサービングセルがＳｐＣｅｌｌのみである場合）、且つ上位層構成情報が有効に構成されている（ＳＣｅｌｌ＿ＳｐＣｅｌｌ＿Ｄｉｆｆ＿ＱＣＬ＿Ｆｌａｇ＝ｅｎａｂｌｅ）場合、端末装置は、サービングセルＣ２（又はＳｐＣｅｌｌ）のアンテナポート疑似コロケーションパラメータに基づいて該ダウンリンク信号を監視する。
【００９０】
この態様では、該第２セルに関連付けられたアンテナポート疑似コロケーションパラメータは、以下のパラメータの少なくとも１つを含んでもよい。
【００９１】
該ダウンリンク信号に対応する物理ランダムアクセスチャネル（ＰＲＡＣＨ）伝送に関連付けられた参照信号のアンテナポート疑似コロケーションパラメータ。
【００９２】
ダウンリンク制御情報（ＤＣＩ）と該ＤＣＩによりスケジュールされた物理ダウンリンク共有チャネル（ＰＤＳＣＨ）との間隔が所定閾値よりも小さい場合の、該ＰＤＳＣＨを受信するためのアンテナポート疑似コロケーションパラメータ。例えば、該パラメータは、ＱＣＬ  ｐａｒａｍｅｔｅｒ（ｓ）  ｕｓｅｄ  ｆｏｒ  ＰＤＣＣＨ  ｑｕａｓｉ  ｃｏ−ｌｏｃａｔｉｏｎ  ｉｎｄｉｃａｔｉｏｎ  ｏｆ  ｔｈｅ  ｌｏｗｅｓｔ  ＣＯＲＥＳＥＴ−ＩＤ  ｉｎ  ｔｈｅ  ｌａｔｅｓｔ  ｓｌｏｔ  ｉｎ  ｗｈｉｃｈ  ｏｎｅ  ｏｒ  ｍｏｒｅ  ＣＯＲＥＳＥＴｓ  ｗｉｔｈｉｎ  ｔｈｅ  ａｃｔｉｖｅ  ＢＷＰ  ｏｆ  ｔｈｅ  ｓｅｒｖｉｎｇ  ｃｅｌｌ  ａｒｅ  ｃｏｎｆｉｇｕｒｅｄ  ｆｏｒ  ｔｈｅ  ＵＥであってもよい。
【００９３】
該ダウンリンク信号を監視するための制御リソースセット（ＣＯＲＥＳＥＴ）に対応するアクティブ化されたＴＣＩ状態に対応するアンテナポート疑似コロケーションパラメータ。
【００９４】
該ダウンリンク信号を監視するためのＣＯＲＥＳＥＴに対応するアクティブ化されたＴＣＩ状態がない場合の、セルのアクティブ化された帯域幅部分（ＢＷＰ：Ｂａｎｄｗｉｄｔｈ  Ｐａｒｔ）において該端末装置のために構成された１つ又は複数の制御リソースセットにおける最も低い制御リソースセットインデックスを有する最新のスロットの物理ダウンリンク制御チャネル（ＰＤＣＣＨ）疑似コロケーション指示のためのパラメータ（例えば、ＱＣＬ  ｐａｒａｍｅｔｅｒ（ｓ）  ｕｓｅｄ  ｆｏｒ  ＰＤＣＣＨ  ｑｕａｓｉ  ｃｏ−ｌｏｃａｔｉｏｎ  ｉｎｄｉｃａｔｉｏｎ  ｏｆ  ｔｈｅ  ｌｏｗｅｓｔ  ＣＯＲＥＳＥＴ−ＩＤ  ｉｎ  ｔｈｅ  ｌａｔｅｓｔ  ｓｌｏｔ  ｉｎ  ｗｈｉｃｈ  ｏｎｅ  ｏｒ  ｍｏｒｅ  ＣＯＲＥＳＥＴｓ  ｗｉｔｈｉｎ  ｔｈｅ  ａｃｔｉｖｅ  ＢＷＰ  ｏｆ  ｔｈｅ  ｓｅｒｖｉｎｇ  ｃｅｌｌ  ａｒｅ  ｃｏｎｆｉｇｕｒｅｄ  ｆｏｒ  ｔｈｅ  ＵＥ）。
【００９５】
該ダウンリンク信号を監視するためのＣＯＲＥＳＥＴに対応するアクティブ化されたＴＣＩ状態がある場合の、該ダウンリンク信号を監視するためのＣＯＲＥＳＥＴにおけるアクティブ化されたＴＣＩ状態に対応するアンテナポート疑似コロケーションパラメータ。
【００９６】
該ダウンリンク信号を監視するためのＣＯＲＥＳＥＴに対応するアクティブ化されたＴＣＩ状態がない場合の、セルのアクティブ化された帯域幅部分において該端末装置のために構成された１つ又は複数の制御リソースセットにおける最も低い制御リソースセットインデックスを有する最新のスロットの物理ダウンリンク制御チャネル（ＰＤＣＣＨ）疑似コロケーション指示のためのパラメータ（例えば、ＱＣＬ  ｐａｒａｍｅｔｅｒ（ｓ）  ｕｓｅｄ  ｆｏｒ  ＰＤＣＣＨ  ｑｕａｓｉ  ｃｏ−ｌｏｃａｔｉｏｎ  ｉｎｄｉｃａｔｉｏｎ  ｏｆ  ｔｈｅ  ｌｏｗｅｓｔ  ＣＯＲＥＳＥＴ−ＩＤ  ｉｎ  ｔｈｅ  ｌａｔｅｓｔ  ｓｌｏｔ  ｉｎ  ｗｈｉｃｈ  ｏｎｅ  ｏｒ  ｍｏｒｅ  ＣＯＲＥＳＥＴｓ  ｗｉｔｈｉｎ  ｔｈｅ  ａｃｔｉｖｅ  ＢＷＰ  ｏｆ  ｔｈｅ  ｓｅｒｖｉｎｇ  ｃｅｌｌ  ａｒｅ  ｃｏｎｆｉｇｕｒｅｄ  ｆｏｒ  ｔｈｅ  ＵＥ）、又は、該ダウンリンク信号を監視するためのＣＯＲＥＳＥＴに対応するアクティブ化されたＴＣＩ状態がある場合の、該ダウンリンク信号を監視するためのＣＯＲＥＳＥＴにおけるアクティブ化されたＴＣＩ状態に対応するアンテナポート疑似コロケーションパラメータ。
【００９７】
この態様では、上位層構成情報が有効に構成されている場合、端末装置は、サービングセルｃ２のＢＦＲ応答及びｃ２以外の他のサービングセルのＢＦＲ応答を監視する際に、異なるアンテナポート疑似コロケーションパラメータを用いて、ビーム障害回復応答を監視してもよい。或いは、ビーム障害回復応答がＳｐＣｅｌｌでのみ監視されるシナリオでは、上位層構成情報が有効に構成されている場合、端末装置は、異なるアンテナポート疑似コロケーションパラメータに基づいて非ＳｐＣｅｌｌのＢＦＲ応答及びＳｐＣｅｌｌ  ＢＦＲ応答を監視する。
【００９８】
また、ｑｎｅｗに関連付けられたサービングセルは、ビーム障害手順を開始する対応するサービングセルと同一であってもよい。ｑｎｅｗに関連付けられたサービングセルは、対応するビーム障害報告（例えばＰＲＡＣＨ、ＭＡＣ  ＣＥ）を送信するセルと同一であってもよい。
【００９９】
以上の実施例又は態様は単なる本発明の実施例を例示的に説明するものであり、本発明はこれに限定されず、各実施例又は態様をベースにして適切な変形を行ってもよい。例えば、上記の各実施例又は態様は単独で実行されてもよいし、各実施例又は態様のうちの１つ又は複数を組み合わせて実行してもよい。
【０１００】
本実施例によれば、端末装置は、アンテナポート疑似コロケーションパラメータに基づいてダウンリンク信号を監視し、該アンテナポート疑似コロケーションパラメータは、第１セル及び／又は第２セルに関連する。これによって、ネットワーク装置が端末装置のために複数のキャリアを構成している場合であっても、端末装置は、ダウンリンク信号を受信するためのアンテナポート疑似コロケーションパラメータを正確に決定することができるため、ダウンリンク信号を正確に受信することができる。
【０１０１】
＜実施例２＞
本発明の実施例はダウンリンク信号の送信方法を提供し、ネットワーク装置側から説明し、実施例１と同様な内容についてその説明を省略する。
【０１０２】
図６は本発明の実施例のダウンリンク信号の送信方法の１つの概略図であり、ネットワーク装置側の状況を示している。図６に示すように、該方法は以下のステップを含む。
【０１０３】
ステップ６０２：ネットワーク装置はアンテナポート疑似コロケーションパラメータに基づいて端末装置にダウンリンク信号を送信する。該アンテナポート疑似コロケーションパラメータは、第１セル及び／又は第２セルに関連する。
【０１０４】
図６に示すように、該方法は以下のステップをさらに含んでもよい。
【０１０５】
ステップ６０１：ネットワーク装置は端末装置に監視パラメータを送信する。該監視パラメータは、該端末装置がアンテナポート疑似コロケーションパラメータに基づいてダウンリンク信号を監視するように指示するために用いられる。
【０１０６】
本実施例では、該ネットワーク装置は、該端末装置に、上位層構成パラメータを指示するための情報をさらに送信してもよい。該上位層構成パラメータは、該端末装置がアンテナポート疑似コロケーションパラメータを取得するように指示する。
【０１０７】
本実施例では、該第１セルは、該ダウンリンク信号に対応する参照信号インデックスに関連付けられたセル、該ダウンリンク信号に対応する物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）伝送を送信するセル、及び該ダウンリンク信号に対応するビーム障害回復手順を開始するセルの少なくとも１つを含んでもよいが、本発明はこれに限定されない。
【０１０８】
本実施例では、該第２セルは、該端末装置が該ダウンリンク信号を監視する際に所在するセル、スペシャルセル（Ｓｐｃｅｌｌ）、及び該スペシャルセル以外の非スペシャルセルの少なくとも１つを含んでもよい。該スペシャルセルは、デュアルコネクティビティの場合のマスタセルグループ（ＭＣＧ）のプライマリセル（ＰＣｅｌｌ）、デュアルコネクティビティの場合のセカンダリセルグループ（ＳＣＧ）のプライマリセル（ＰＳＣｅｌｌ）、及び非デュアルコネクティビティの場合のプライマリセルの少なくとも１つを含んでもよいが、本発明はこれに限定されない。
【０１０９】
本実施例では、アンテナポート疑似コロケーションパラメータと第１セル及び／又は第２セルとの関連方式、並びにダウンリンク信号の定義などの関連内容は、実施例１と同様である。
【０１１０】
なお、以上は図６を参照しながら本発明の実施例を例示的に説明しているが、本発明はこれに限定されない。例えば、各ステップ間の実行順序を適宜調整してもよいし、他のステップを追加したり、ステップを削除したりしてもよい。例えば、ステップ６０１とステップ６０２とを１つのステップに併合してもよい。当業者は、上記の内容に基づいて適宜変形を行ってもよく、上記の図６の記載に限定されない。
【０１１１】
本実施例によれば、ネットワーク装置は、アンテナポート疑似コロケーションパラメータに基づいて端末装置にダウンリンク信号を送信し、該アンテナポート疑似コロケーションパラメータは、第１セル及び／又は第２セルに関連する。これによって、ネットワーク装置が端末装置のために複数のキャリアを構成している場合であっても、ネットワーク装置は、ダウンリンク信号を送信するためのアンテナポート疑似コロケーションパラメータを正確に決定することができるため、ダウンリンク信号を正確に送信することができる。
【０１１２】
＜実施例３＞
本発明の実施例は上位層パラメータの構成方法を提供し、ネットワーク装置側から説明し、実施例１、２と同様な内容についてその説明を省略する。
【０１１３】
図７は本発明の実施例の上位層パラメータの構成方法の１つの概略図であり、ネットワーク装置側の状況を示している。図７に示すように、該方法は以下のステップを含む。
【０１１４】
ステップ７０１：ネットワーク装置は、端末装置に、上位層構成パラメータを指示するための情報を送信する。該上位層構成パラメータは、該端末装置がアンテナポート疑似コロケーションパラメータを取得するように指示する。
【０１１５】
１つの態様では、該上位層構成パラメータが構成されておらず、或いは第１状態（例えば無効）に構成されている場合、該上位層構成パラメータは、該端末装置が同一の疑似コロケーションパラメータを用いて該第１セル及び該第２セルのダウンリンク信号を監視するように指示する。
【０１１６】
例えば、該上位層構成パラメータは、該端末装置が該第１セルに関連付けられた参照信号インデックスに関連付けられたアンテナポート疑似コロケーションパラメータを用いて該第１セルの該ダウンリンク信号及び該第２セルの該ダウンリンク信号を監視するように指示する。
【０１１７】
１つの態様では、該上位層構成パラメータが構成されておらず、或いは第２状態（例えば有効）に構成されている場合、該上位層構成パラメータは、該端末装置が異なる疑似コロケーションパラメータを用いて該第１セル及び該第２セルの該ダウンリンク信号を監視するように指示する。
【０１１８】
例えば、該上位層構成パラメータは、該端末装置が該第１セルに関連付けられた参照信号インデックスに関連付けられたアンテナポート疑似コロケーションパラメータを用いて該第１セルの該ダウンリンク信号を監視するように指示し、該端末装置が該第２セルに関連付けられたアンテナポート疑似コロケーションパラメータを用いて該第２セルの該ダウンリンク信号を監視するように指示する。
【０１１９】
本実施例では、該上位層構成パラメータは、１つのセルのビーム障害回復構成に含まれ、或いはプライマリセルのビーム障害回復構成のみにおいて構成されてもよいが、本発明はこれに限定されない。
【０１２０】
例えば、上位層構成パラメータは、ＢＷＰ−ＵｐｌｉｎｋＤｅｄｉｃａｔｅｄにおけるＢｅａｍＦａｉｌｕｒｅＲｅｃｏｖｅｒｙＣｏｎｆｉｇにおいて構成されてもよいし、ＳｐＣｅｌｌにおけるＢＷＰ−ＵｐｌｉｎｋＤｅｄｉｃａｔｅｄにおけるＢｅａｍＦａｉｌｕｒｅＲｅｃｏｖｅｒｙＣｏｎｆｉｇにおいて構成されてもよい。
【０１２１】
本実施例では、該第１セルは、該ダウンリンク信号に対応する参照信号インデックスに関連付けられたセル、該ダウンリンク信号に対応する物理ランダムアクセスチャネル伝送を送信するセル、及び該ダウンリンク信号に対応するビーム障害回復手順を開始するセルの少なくとも１つを含んでもよい。
【０１２２】
本実施例では、該第２セルは、該端末装置が前記ダウンリンク信号を監視する際に所在するセル、スペシャルセル、及び該スペシャルセル以外の非スペシャルセルの少なくとも１つを含んでもよい。該スペシャルセルは、デュアルコネクティビティの場合のマスタセルグループ（ＭＣＧ）のプライマリセル（ＰＣｅｌｌ）、デュアルコネクティビティの場合のセカンダリセルグループ（ＳＣＧ）のプライマリセル（ＰＳＣｅｌｌ）、及び非デュアルコネクティビティの場合のプライマリセルの少なくとも１つを含んでもよい。
【０１２３】
以上の実施例又は態様は単なる本発明の実施例を例示的に説明するものであり、本発明はこれに限定されず、各実施例又は態様をベースにして適切な変形を行ってもよい。例えば、上記の各実施例又は態様は単独で実行されてもよいし、各実施例又は態様のうちの１つ又は複数を組み合わせて実行してもよい。
【０１２４】
本実施例によれば、ネットワーク装置は、端末装置がアンテナポート疑似コロケーションパラメータに基づいてダウンリンク信号を監視するように、端末装置のために上位層構成パラメータを構成し、該アンテナポート疑似コロケーションパラメータは、第１セル及び／又は第２セルに関連する。これによって、ネットワーク装置が端末装置のために複数のキャリアを構成している場合であっても、端末装置は、ダウンリンク信号を受信するためのアンテナポート疑似コロケーションパラメータを正確に決定することができるため、ダウンリンク信号を正確に受信することができる。
【０１２５】
＜実施例４＞
本発明の実施例はダウンリンク信号の監視方法を提供し、端末装置側から説明し、実施例１と同様な内容についてその説明を省略する。
【０１２６】
図８は本発明の実施例のダウンリンク信号の監視方法の１つの概略図であり、端末装置側の状況を示している。図８に示すように、該方法は以下のステップを含む。
【０１２７】
ステップ８０１：端末装置はネットワーク装置により送信された監視パラメータを受信する。
【０１２８】
ステップ８０２：端末装置はアンテナポート疑似コロケーションパラメータに基づいてダウンリンク信号を監視する。ここで、該アンテナポート疑似コロケーションパラメータは、第１参照信号インデックス及び第２参照信号インデックスに関連する。
【０１２９】
なお、以上は図８を参照しながら本発明の実施例を例示的に説明しているが、本発明はこれに限定されない。例えば、各ステップ間の実行順序を適宜調整してもよいし、他のステップを追加したり、ステップを削除したりしてもよい。当業者は、上記の内容に基づいて適宜変形を行ってもよく、上記の図８の記載に限定されない。
【０１３０】
本実施例では、該第１参照信号インデックスは、上位層により構成された候補ビームパラメータリストから該端末装置により選択される。
【０１３１】
例えば、ビーム障害回復手順が端末装置の上位層により開始されると、上位層は、該ビーム障害回復手順に対応するビーム障害応答に関連する参照信号のインデックスｑｎｅｗを提供する。ここで、ｑｎｅｗは、ビーム障害回復のために行われる対応するランダムアクセス手順の候補ビームリスト構成情報（例えば、ｃａｎｄｉｄａｔｅＢｅａｍＲＳＬｉｓｔ）から上位層により選択された参照信号インデックスである。
【０１３２】
本実施例では、該第２参照信号インデックスは、伝送構成指示状態構成情報から該端末装置により選択される。
【０１３３】
例えば、ビーム障害回復手順が上位層により開始されると、上位層は、該ビーム障害回復手順に関連するインデックスｑ’を提供してもよい。ここで、ｑ’は、参照ダウンリンク信号を監視するためのＢＷＰにおいて上位層により構成されたＰＤＳＣＨに関する候補ＴＣＩ状態リストの上位層構成情報（例えば、ｔｃｉ−ＳｔａｔｅｓＴｏＡｄｄＭｏｄＬｉｓｔ）から選択された参照信号インデックスであってもよいし、該ダウンリンク信号を監視するためのＣＯＲＥＳＥＴのために上位層により構成されたＴＣＩ状態リストに関する上位層構成情報（例えば、ｔｃｉ−ＳｔａｔｅｓＰＤＣＣＨ−ＴｏＡｄｄＬｉｓｔ、ｔｃｉ−ＳｔａｔｅｓＰＤＣＣＨ−ＴｏＲｅｌｅａｓｅＬｉｓｔ）から選択された参照信号インデックスであってもよい。
【０１３４】
１つの態様では、該端末装置は、該第２参照信号インデックスが提供されている場合、該第２参照信号インデックスに関連付けられたアンテナポート疑似コロケーションパラメータに基づいて該ダウンリンク信号を監視し、そうでない場合、該第１参照信号インデックスに関連付けられたアンテナポート疑似コロケーションパラメータに基づいて該ダウンリンク信号を監視する。
【０１３５】
例えば、端末装置は、ｑ’及びｑｎｅｗの両方が上位層により提供されている場合、ｑ’に関連付けられたアンテナポート疑似コロケーションパラメータに基づいて該ダウンリンク信号を監視し、ｑｎｅｗが上位層により提供され、且つｑ’が上位層により提供されていない場合、ｑｎｅｗに関連付けられたアンテナポート疑似コロケーションパラメータに基づいて該ダウンリンク信号を監視する。
【０１３６】
もう１つの態様では、該端末装置は、該第２参照信号インデックスが特定値である場合、該第２参照信号インデックスに関連付けられたアンテナポート疑似コロケーションパラメータに基づいて該ダウンリンク信号を監視し、そうでない場合、該第１参照信号インデックスに関連付けられたアンテナポート疑似コロケーションパラメータに基づいて該ダウンリンク信号を監視する。
【０１３７】
例えば、端末装置は、ｑ’が特定値（例えば０、１、２又は他の値）である場合、ｑ’に関連付けられたアンテナポート疑似コロケーションパラメータに基づいて該ダウンリンク信号を監視し、ｑ’が該特定値ではない場合、ｑｎｅｗに関連付けられたアンテナポート疑似コロケーションパラメータに基づいて該ダウンリンク信号を監視する。
【０１３８】
本実施例によれば、端末装置は、アンテナポート疑似コロケーションパラメータに基づいてダウンリンク信号を監視し、該アンテナポート疑似コロケーションパラメータは、第１参照信号インデックス及び第２参照信号インデックスに関連する。これによって、ネットワーク装置が端末装置のために複数のキャリアを構成している場合であっても、端末装置は、ダウンリンク信号を受信するためのアンテナポート疑似コロケーションパラメータを正確に決定することができるため、ダウンリンク信号を正確に受信することができる。
【０１３９】
＜実施例５＞
本発明の実施例はダウンリンク信号の送信方法を提供し、ネットワーク装置側から説明し、実施例４と同様な内容についてその説明を省略する。
【０１４０】
図９は本発明の実施例のダウンリンク信号の送信方法の１つの概略図であり、ネットワーク装置側の状況を示している。図９に示すように、該方法は以下のステップを含む。
【０１４１】
ステップ９０２：ネットワーク装置はアンテナポート疑似コロケーションパラメータに基づいて端末装置にダウンリンク信号を送信する。該アンテナポート疑似コロケーションパラメータは、第１参照信号インデックス及び第２参照信号インデックスに関連する。
【０１４２】
図９に示すように、該方法は以下のステップをさらに含んでもよい。
【０１４３】
ステップ９０１：ネットワーク装置は端末装置に監視パラメータを送信する。
【０１４４】
なお、以上は図９を参照しながら本発明の実施例を例示的に説明しているが、本発明はこれに限定されない。例えば、各ステップ間の実行順序を適宜調整してもよいし、他のステップを追加したり、ステップを削除したりしてもよい。当業者は、上記の内容に基づいて適宜変形を行ってもよく、上記の図９の記載に限定されない。
【０１４５】
本実施例では、該第１参照信号インデックスは、上位層により構成された候補ビームパラメータリストから該端末装置により選択される。
【０１４６】
本実施例では、該第２参照信号インデックスは、伝送構成指示状態構成情報から該端末装置により選択される。例えば、該伝送構成指示状態構成情報は、該ダウンリンク信号を監視するための制御リソースセットに対応する伝送構成指示状態構成情報である。
【０１４７】
本実施例によれば、ネットワーク装置は、アンテナポート疑似コロケーションパラメータに基づいてダウンリンク信号を送信し、該アンテナポート疑似コロケーションパラメータは、第１参照信号インデックス及び第２参照信号インデックスに関連する。これによって、ネットワーク装置が端末装置のために複数のキャリアを構成している場合であっても、ネットワーク装置は、ダウンリンク信号を送信するためのアンテナポート疑似コロケーションパラメータを正確に決定することができるため、ダウンリンク信号を正確に送信することができる。
【０１４８】
＜実施例６＞
本発明の実施例は、ダウンリンク信号の監視装置を提供する。該装置は、例えば端末装置であってもよいし、端末装置に構成された部材又は構成部であってもよい。本実施例６の実施例１と同様な内容について、その説明を省略する。
【０１４９】
図１０は本発明の実施例のダウンリンク信号の監視装置の１つの概略図である。図１０に示すように、ダウンリンク信号の監視装置１０００は、監視部１００１を含む。
【０１５０】
監視部１００１は、アンテナポート疑似コロケーションパラメータに基づいてダウンリンク信号を監視する。ここで、該アンテナポート疑似コロケーションパラメータは、第１セル及び／又は第２セルに関連する。
【０１５１】
図１０に示すように、ダウンリンク信号の監視装置１０００は、パラメータ受信部１００２をさらに含んでもよい。
【０１５２】
パラメータ受信部１００２は、ネットワーク装置により送信された監視パラメータを受信する。
【０１５３】
本実施例では、該第１セルは、該ダウンリンク信号に対応する参照信号インデックスに関連付けられたセル、該ダウンリンク信号に対応する物理ランダムアクセスチャネル伝送を送信するセル、及び該ダウンリンク信号に対応するビーム障害回復手順を開始するセルの少なくとも１つを含む。
【０１５４】
本実施例では、該第２セルは、端末装置が該ダウンリンク信号を監視する際に所在するセル、スペシャルセル、及び該スペシャルセル以外の非スペシャルセルの少なくとも１つを含む。該スペシャルセルは、デュアルコネクティビティの場合のマスタセルグループのプライマリセル、デュアルコネクティビティの場合のセカンダリセルグループのプライマリセル、及び非デュアルコネクティビティの場合のプライマリセルの少なくとも１つを含む。
【０１５５】
本実施例では、該参照信号インデックスは、上位層により提供され、上位層により構成された候補ビーム参照信号リストから該端末装置により選択される。該参照信号は、チャネル状態情報参照信号、同期信号、物理ブロードキャストチャネルの少なくとも１つを含む。
【０１５６】
１つの態様では、監視部１００１は、該第１セルと該第２セルとが同一である場合、該第１セルに関連付けられた参照信号インデックスに関連付けられたアンテナポート疑似コロケーションパラメータに基づいて該ダウンリンク信号を監視する。
【０１５７】
１つの態様では、監視部１００１は、該第１セルと該第２セルとが異なる場合、該第２セルに関連付けられたアンテナポート疑似コロケーションパラメータに基づいて該ダウンリンク信号を監視する。
【０１５８】
１つの態様では、監視部１００１は、該第１セルと該第２セルとが異なり、且つ該ダウンリンク信号を監視するための制御リソースセットに対応するアクティブ化された伝送構成指示状態がない場合、該第１セルに関連付けられた参照信号インデックスに関連付けられたアンテナポート疑似コロケーションパラメータに基づいて該ダウンリンク信号を監視する。
【０１５９】
１つの態様では、監視部１００１は、該第１セルと該第２セルとが異なり、且つ該ダウンリンク信号を監視するための制御リソースセットに対応するアクティブ化された伝送構成指示状態がある場合、該第２セルに関連付けられたアンテナポート疑似コロケーションパラメータに基づいて該ダウンリンク信号を監視する。
【０１６０】
１つの態様では、監視部１００１は、該第１セルと該第２セルとが異なり、且つ上位層構成パラメータが構成されておらず、或いは第１状態に構成されている場合、該第１セルに関連付けられた参照信号インデックスに関連付けられたアンテナポート疑似コロケーションパラメータに基づいて該ダウンリンク信号を監視する。
【０１６１】
１つの態様では、監視部１００１は、該第１セルと該第２セルとが異なり、且つ上位層構成パラメータが構成されておらず、或いは第２状態に構成されている場合、該第２セルに関連付けられたアンテナポート疑似コロケーションパラメータに基づいて該ダウンリンク信号を監視する。
【０１６２】
本実施例では、パラメータ受信部１００２は、ネットワーク装置により送信された上位層構成パラメータを指示するための情報をさらに受信してもよい。該上位層構成パラメータは、ネットワーク装置により構成され、該疑似コロケーションパラメータを取得するために用いられる。該上位層構成パラメータは、該第１状態又は該第２状態に構成することができる。
【０１６３】
本実施例では、該上位層構成パラメータは、１つのセルのビーム障害回復構成に含まれ、或いはプライマリセルのビーム障害回復構成のみにおいて構成される。
【０１６４】
本実施例では、該第２セルに関連付けられたアンテナポート疑似コロケーションパラメータは、以下のパラメータの少なくとも１つを含んでもよい。
【０１６５】
該ダウンリンク信号に対応する物理ランダムアクセスチャネル伝送に関連付けられた参照信号のアンテナポート疑似コロケーションパラメータ。
【０１６６】
ダウンリンク制御情報と該ダウンリンク制御情報によりスケジュールされた物理ダウンリンク共有チャネルとの間隔が所定閾値よりも小さい場合の、該物理ダウンリンク共有チャネルを受信するためのアンテナポート疑似コロケーションパラメータ。
【０１６７】
該ダウンリンク信号を監視するための制御リソースセットに対応するアクティブ化された伝送構成指示状態に対応するアンテナポート疑似コロケーションパラメータ。
【０１６８】
該ダウンリンク信号を監視するための制御リソースセットに対応するアクティブ化された伝送構成指示状態がない場合の、セルのアクティブ化された帯域幅部分において該端末装置のために構成された１つ又は複数の制御リソースセットにおける最も低い制御リソースセットインデックスを有する最新のスロットの物理ダウンリンク制御チャネル疑似コロケーション指示のためのパラメータ。
【０１６９】
該ダウンリンク信号を監視するための制御リソースセットに対応するアクティブ化された伝送構成指示状態がある場合の、該ダウンリンク信号を監視するための制御リソースセットに対応するアクティブ化された伝送構成指示状態に対応するアンテナポート疑似コロケーションパラメータ。
【０１７０】
該ダウンリンク信号を監視するための制御リソースセットに対応するアクティブ化された伝送構成指示状態がない場合の、セルのアクティブ化された帯域幅部分において該端末装置のために構成された１つ又は複数の制御リソースセットにおける最も低い制御リソースセットインデックスを有する最新のスロットの物理ダウンリンク制御チャネル疑似コロケーション指示のためのパラメータ、該ダウンリンク信号を監視するための制御リソースセットに対応するアクティブ化された伝送構成指示状態がある場合の、該ダウンリンク信号を監視するための制御リソースセットに対応するアクティブ化された伝送構成指示状態に対応するアンテナポート疑似コロケーションパラメータ。
【０１７１】
なお、以上は本発明に関連する各部材又はモジュールを説明しているが、本発明はこれに限定されない。ダウンリンク信号の監視装置１０００は他の部材又はモジュールをさらに含んでもよく、これらの部材又はモジュールの具体的な内容について、関連技術を参照してもよい。
【０１７２】
また、説明の便宜上、図１０は各部材又はモジュール間の接続関係又は信号方向のみを例示的に示し、当業者がバスの接続など各種の関連技術を採用してもよい。上記の各部材又はモジュールは、例えばプロセッサ、メモリ、送信機、受信機などのハードウェア設備により実現されてもよく、本発明の実施例はこれに限定されない。
【０１７３】
本実施例によれば、端末装置は、アンテナポート疑似コロケーションパラメータに基づいてダウンリンク信号を監視し、該アンテナポート疑似コロケーションパラメータは、第１セル及び／又は第２セルに関連する。これによって、ネットワーク装置が端末装置のために複数のキャリアを構成している場合であっても、端末装置は、ダウンリンク信号を受信するためのアンテナポート疑似コロケーションパラメータを正確に決定することができるため、ダウンリンク信号を正確に受信することができる。
【０１７４】
＜実施例７＞
本発明の実施例は、ダウンリンク信号の送信装置を提供する。該装置は、例えばネットワーク装置であってもよいし、ネットワーク装置に構成された部材又は構成部であってもよい。本実施例７の実施例２、３と同様な内容について、その説明を省略する。
【０１７５】
図１１は本発明の実施例のダウンリンク信号の送信装置の１つの概略図である。図１１に示すように、ダウンリンク信号の送信装置１１００は、信号送信部１１０２を含む。
【０１７６】
信号送信部１１０２は、アンテナポート疑似コロケーションパラメータに基づいて端末装置にダウンリンク信号を送信する。
【０１７７】
図１１に示すように、ダウンリンク信号の送信装置１１００は、パラメータ送信部１１０１をさらに含んでもよい。
【０１７８】
パラメータ送信部１１０１は、端末装置に、ダウンリンク信号を監視するための監視パラメータを送信する。該監視パラメータは、該端末装置がアンテナポート疑似コロケーションパラメータに基づいてダウンリンク信号を監視するように指示するために用いられる。該アンテナポート疑似コロケーションパラメータは、第１セル及び／又は第２セルに関連する。
【０１７９】
本実施例では、パラメータ送信部１１０１は、該端末装置に、上位層構成パラメータを指示するための情報をさらに送信してもよい。該上位層構成パラメータは、該端末装置がアンテナポート疑似コロケーションパラメータを取得するように指示する。
【０１８０】
１つの態様では、該上位層構成パラメータが構成されておらず、或いは第１状態に構成されている場合、該上位層構成パラメータは、該端末装置が同一の疑似コロケーションパラメータを用いて該第１セル及び該第２セルのダウンリンク信号を監視するように指示する。
【０１８１】
例えば、該上位層構成パラメータは、該端末装置が該第１セルに関連付けられた参照信号インデックスに関連付けられたアンテナポート疑似コロケーションパラメータを用いて該第１セルの該ダウンリンク信号及び該第２セルの該ダウンリンク信号を監視するように指示する。
【０１８２】
１つの態様では、該上位層構成パラメータが構成されておらず、或いは第２状態に構成されている場合、該上位層構成パラメータは、該端末装置が異なる疑似コロケーションパラメータを用いて該第１セル及び該第２セルの該ダウンリンク信号を監視するように指示する。
【０１８３】
例えば、該上位層構成パラメータは、該端末装置が該第１セルに関連付けられた参照信号インデックスに関連付けられたアンテナポート疑似コロケーションパラメータを用いて該第１セルの該ダウンリンク信号を監視するように指示し、該端末装置が該第２セルに関連付けられたアンテナポート疑似コロケーションパラメータを用いて該第２セルの該ダウンリンク信号を監視するように指示する。
【０１８４】
なお、以上は本発明に関連する各部材又はモジュールを説明しているが、本発明はこれに限定されない。ダウンリンク信号の送信装置１１００は他の部材又はモジュールをさらに含んでもよく、これらの部材又はモジュールの具体的な内容について、関連技術を参照してもよい。
【０１８５】
また、説明の便宜上、図１１は各部材又はモジュール間の接続関係又は信号方向のみを例示的に示し、当業者がバスの接続など各種の関連技術を採用してもよい。上記の各部材又はモジュールは、例えばプロセッサ、メモリ、送信機、受信機などのハードウェア設備により実現されてもよく、本発明の実施例はこれに限定されない。
【０１８６】
本実施例によれば、ネットワーク装置は、アンテナポート疑似コロケーションパラメータに基づいてダウンリンク信号を送信し、該アンテナポート疑似コロケーションパラメータは、第１セル及び／又は第２セルに関連する。これによって、ネットワーク装置が端末装置のために複数のキャリアを構成している場合であっても、ネットワーク装置は、ダウンリンク信号を送信するためのアンテナポート疑似コロケーションパラメータを正確に決定することができるため、ダウンリンク信号を正確に送信することができる。
【０１８７】
＜実施例８＞
本発明の実施例は、ダウンリンク信号の監視装置を提供する。該装置は、例えば端末装置であってもよいし、端末装置に構成された部材又は構成部であってもよい。本実施例８の実施例３と同様な内容について、その説明を省略する。
【０１８８】
本実施例では、該ダウンリンク信号の監視装置の構成は図１０を参照してもよい。図１０に示すように、監視部１００１は、アンテナポート疑似コロケーションパラメータに基づいてダウンリンク信号を監視する。該アンテナポート疑似コロケーションパラメータは、第１参照信号インデックス及び第２参照信号インデックスに関連する。
【０１８９】
本実施例では、該第１参照信号インデックスは、上位層により構成された候補ビームパラメータリストから端末装置により選択される。該第２参照信号インデックスは、伝送構成指示状態構成情報から該端末装置により選択される。例えば、該伝送構成指示状態構成情報は、該ダウンリンク信号を監視するためのセルのアクティブ化された帯域幅部分での伝送構成指示状態構成情報である。
【０１９０】
１つの態様では、監視部１００１は、該第２参照信号インデックスが提供されている場合、該第２参照信号インデックスに関連付けられたアンテナポート疑似コロケーションパラメータに基づいて該ダウンリンク信号を監視し、そうでない場合、該第１参照信号インデックスに関連付けられたアンテナポート疑似コロケーションパラメータに基づいて該ダウンリンク信号を監視する。
【０１９１】
１つの態様では、監視部１００１は、該第２参照信号インデックスが特定値である場合、該第２参照信号インデックスに関連付けられたアンテナポート疑似コロケーションパラメータに基づいて該ダウンリンク信号を監視し、そうでない場合、該第１参照信号インデックスに関連付けられたアンテナポート疑似コロケーションパラメータに基づいて該ダウンリンク信号を監視する。
【０１９２】
なお、以上は本発明に関連する各部材又はモジュールを説明しているが、本発明はこれに限定されない。ダウンリンク信号の監視装置１０００は他の部材又はモジュールをさらに含んでもよく、これらの部材又はモジュールの具体的な内容について、関連技術を参照してもよい。
【０１９３】
本実施例によれば、端末装置は、アンテナポート疑似コロケーションパラメータに基づいてダウンリンク信号を監視し、該アンテナポート疑似コロケーションパラメータは、第１参照信号インデックス及び第２参照信号インデックスに関連する。これによって、ネットワーク装置が端末装置のために複数のキャリアを構成している場合であっても、端末装置は、ダウンリンク信号を受信するためのアンテナポート疑似コロケーションパラメータを正確に決定することができるため、ダウンリンク信号を正確に受信することができる。
【０１９４】
＜実施例９＞
本発明の実施例は、ダウンリンク信号の送信装置を提供する。該装置は、例えばネットワーク装置であってもよいし、ネットワーク装置に構成された部材又は構成部であってもよい。本実施例９の実施例５と同様な内容について、その説明を省略する。
【０１９５】
本実施例では、該ダウンリンク信号の送信装置の構成は図１１を参照してもよい。図１１に示すように、パラメータ送信部１１０１は、端末装置に、ダウンリンク信号を監視するための監視パラメータをさらに送信する。該監視パラメータは、該端末装置が該アンテナポート疑似コロケーションパラメータに基づいて該ダウンリンク信号を監視するように指示するために用いられる。信号送信部１１０２は、アンテナポート疑似コロケーションパラメータに基づいて端末装置にダウンリンク信号をさらに送信する。該アンテナポート疑似コロケーションパラメータは、第１参照信号インデックス及び第２参照信号インデックスに関連する。
【０１９６】
本実施例では、該第１参照信号インデックスは、上位層により構成された候補ビームパラメータリストから該端末装置により選択される。該第２参照信号インデックスは、伝送構成指示状態構成情報から該端末装置により選択される。例えば、該伝送構成指示状態構成情報は、該ダウンリンク信号を監視するためのセルのアクティブ化された帯域幅部分での伝送構成指示状態構成情報である。
【０１９７】
なお、以上は本発明に関連する各部材又はモジュールを説明しているが、本発明はこれに限定されない。ダウンリンク信号の送信装置１１００は他の部材又はモジュールをさらに含んでもよく、これらの部材又はモジュールの具体的な内容について、関連技術を参照してもよい。
【０１９８】
本実施例によれば、ネットワーク装置は、アンテナポート疑似コロケーションパラメータに基づいてダウンリンク信号を送信し、該アンテナポート疑似コロケーションパラメータは、第１参照信号インデックス及び第２参照信号インデックスに関連する。これによって、ネットワーク装置が端末装置のために複数のキャリアを構成している場合であっても、ネットワーク装置は、ダウンリンク信号を送信するためのアンテナポート疑似コロケーションパラメータを正確に決定することができるため、ダウンリンク信号を正確に送信することができる。
【０１９９】
＜実施例１０＞
本発明の実施例は通信システムをさらに提供し、図１を参照してもよく、実施例１乃至９と同様な内容についてその説明を省略する。本実施例では、通信システム１００は、ネットワーク装置１０１及び端末装置１０２を含んでもよい。
【０２００】
端末装置１０２には、例えば実施例６又は８に記載のダウンリンク信号の監視装置１０００が構成されている。
【０２０１】
ネットワーク装置１０１には、例えば実施例７又は９に記載のダウンリンク信号の送信装置１１００が構成されている。
【０２０２】
本発明の実施例はネットワーク装置をさらに提供する。該ネットワーク装置は基地局であってもよいが、本発明はこれに限定されず、他のネットワーク装置であってもよい。
【０２０３】
図１２は本発明の実施例のネットワーク装置の１つの概略図である。図１２に示すように、ネットワーク装置１２００は、プロセッサ１２１０（例えば中央処理装置（ＣＰＵ））及びメモリ１２２０を含んでもよく、メモリ１２２０はプロセッサ１２１０に接続される。メモリ１２２０は、各種のデータを記憶してもよいし、情報処理のプログラム１２３０をさらに記憶し、プロセッサ１２１０の制御で該プログラム１２３０を実行する。
【０２０４】
例えば、プロセッサ１２１０は、プログラムを実行し、実施例２に記載されたダウンリンク信号の送信方法を実現してもよい。例えば、プロセッサ１２１０は、アンテナポート疑似コロケーションパラメータに基づいて端末装置にダウンリンク信号を送信するように構成されてもよい。ここで、該アンテナポート疑似コロケーションパラメータは、第１セル及び／又は第２セルに関連する。
【０２０５】
また、例えば、プロセッサ１２１０は、プログラムを実行し、実施例３に記載された上位層パラメータの構成方法を実現してもよい。例えば、プロセッサ１２１０は、端末装置に、上位層構成パラメータを指示するための情報を送信するように構成されてもよい。該上位層構成パラメータは、該端末装置がアンテナポート疑似コロケーションパラメータを取得するように指示する。
【０２０６】
また、例えば、プロセッサ１２１０は、プログラムを実行し、実施例５に記載されたダウンリンク信号の送信方法を実現してもよい。例えば、プロセッサ１２１０は、アンテナポート疑似コロケーションパラメータに基づいて端末装置にダウンリンク信号を送信するように構成されてもよい。ここで、該アンテナポート疑似コロケーションパラメータは、第１参照信号インデックス及び第２参照信号インデックスに関連する。
【０２０７】
また、図１２に示すように、ネットワーク装置１２００は、送受信機１２４０及びアンテナ１２５０などをさらに含んでもよい。上記部材の機能は従来技術と類似し、ここでその説明を省略する。なお、ネットワーク装置１２００は図１２に示す全てのユニットを含む必要がない。また、ネットワーク装置１２００は、図１２に示されていないユニットをさらに含んでもよく、従来技術を参照してもよい。
【０２０８】
本発明の実施例は端末装置をさらに提供する。なお、本発明はこれに限定されず、他の装置であってもよい。
【０２０９】
図１３は本発明の実施例の端末装置の１つの概略図である。図１３に示すように、該端末装置１３００は、プロセッサ１３１０及びメモリ１３２０を含んでもよく、メモリ１３２０はプロセッサ１３１０に接続される。なお、該図は単なる例示的なものであり、電気通信機能又は他の機能を実現するように、他の種類の構成を用いて、該構成を補充又は代替してもよい。
【０２１０】
例えば、プロセッサ１３１０は、プログラムを実行して実施例１に記載されたダウンリンク信号の監視方法を実現するように構成されてもよい。例えば、プロセッサ１３１０は、アンテナポート疑似コロケーションパラメータに基づいてダウンリンク信号を監視するように構成されてもよい。ここで、該アンテナポート疑似コロケーションパラメータは、第１セル及び／又は第２セルに関連する。
【０２１１】
また、例えば、プロセッサ１３１０は、プログラムを実行して実施例４に記載されたダウンリンク信号の監視方法を実現するように構成されてもよい。例えば、プロセッサ１３１０は、アンテナポート疑似コロケーションパラメータに基づいてダウンリンク信号を監視するように構成されてもよい。ここで、該アンテナポート疑似コロケーションパラメータは、第１参照信号インデックス及び第２参照信号インデックスに関連する。
【０２１２】
図１３に示すように、該端末装置１３００は、通信モジュール１３３０、入力部１３４０、ディスプレイ１３５０、電源１３６０をさらに含んでもよい。ここで、上記部材の機能は従来技術と同様であり、ここでその説明を省略する。なお、端末装置１３００は図１３に示す全てのユニットを含む必要がない。また、端末装置１３００は、図１３に示されていないユニットをさらに含んでもよく、従来技術を参照してもよい。
【０２１３】
本発明の実施例では、コンピュータ読み取り可能なプログラムであって、ネットワーク装置において該プログラムを実行する際に、該ネットワーク装置に実施例２若しくは５に記載のダウンリンク信号の送信方法、又は実施例４に記載の上位層パラメータの構成方法を実行させる、プログラムをさらに提供する。
【０２１４】
本発明の実施例では、コンピュータ読み取り可能なプログラムが記憶されている記憶媒体であって、該プログラムを実行する際に、ネットワーク装置に実施例２若しくは５に記載のダウンリンク信号の送信方法、又は実施例４に記載の上位層パラメータの構成方法を実行させる、記憶媒体をさらに提供する。
【０２１５】
本発明の実施例では、コンピュータ読み取り可能なプログラムであって、端末装置において該プログラムを実行する際に、該端末装置に実施例１又は３に記載のダウンリンク信号の監視方法を実行させる、プログラムをさらに提供する。
【０２１６】
本発明の実施例では、コンピュータ読み取り可能なプログラムが記憶されている記憶媒体であって、該プログラムを実行する際に、端末装置に実施例１又は３に記載のダウンリンク信号の監視方法を実行させる、記憶媒体をさらに提供する。
【０２１７】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される際に、該ロジック部に上述した装置又は構成要件を実現させる、或いは該ロジック部に上述した各種の方法又はステップを実現させることができる。本発明は上記のプログラムを記憶するための記憶媒体、例えばハードディスク、磁気ディスク、光ディスク、ＤＶＤ、フラッシュメモリ等に関する。
【０２１８】
本発明の実施例を参照しながら説明した各装置における各処理方法は、ハードウェア、プロセッサにより実行されるソフトウェアモジュール、又は両者の組み合わせで実施されてもよい。例えば、図面に示す機能的ブロック図における１つ若しくは複数、又は機能的ブロック図の１つ若しくは複数の組み合わせは、コンピュータプログラムフローの各ソフトウェアモジュールに対応してもよいし、各ハードウェアモジュールに対応してもよい。これらのソフトウェアモジュールは、図面に示す各ステップにそれぞれ対応してもよい。これらのハードウェアモジュールは、例えばフィールド・プログラマブル・ゲートアレイ（ＦＰＧＡ）を用いてこれらのソフトウェアモジュールをハードウェア化して実現されてもよい。
【０２１９】
ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、モバイルハードディスク、ＣＤ−ＲＯＭ又は当業者にとって既知の任意の他の形の記憶媒体に位置してもよい。プロセッサが記憶媒体から情報を読み取ったり、記憶媒体に情報を書き込むように該記憶媒体をプロセッサに接続してもよいし、記憶媒体がプロセッサの構成部であってもよい。プロセッサ及び記憶媒体はＡＳＩＣに位置してもよい。該ソフトウェアモジュールは移動端末のメモリに記憶されてもよいし、移動端末に挿入されたメモリカードに記憶されてもよい。例えば、機器（例えば移動端末）が比較的に大きい容量のＭＥＧＡ−ＳＩＭカード又は大容量のフラッシュメモリ装置を用いる場合、該ソフトウェアモジュールは該ＭＥＧＡ−ＳＩＭカード又は大容量のフラッシュメモリ装置に記憶されてもよい。
【０２２０】
図面に記載されている機能的ブロック図における一つ以上の機能ブロック及び／又は機能ブロックの一つ以上の組合せは、本願に記載されている機能を実行するための汎用プロセッサ、デジタル信号プロセッサ（ＤＳＰ）、特定用途向け集積回路（ＡＳＩＣ）、フィールド・プログラマブル・ゲートアレイ（ＦＰＧＡ）又は他のプログラマブル論理デバイス、ディスクリートゲート又はトランジスタ論理装置、ディスクリートハードウェアコンポーネント、又はそれらの任意の適切な組み合わせで実現されてもよい。図面に記載されている機能的ブロック図における一つ以上の機能ブロック及び／又は機能ブロックの一つ以上の組合せは、例えば、コンピューティング機器の組み合わせ、例えばＤＳＰとマイクロプロセッサの組み合わせ、複数のマイクロプロセッサの組み合わせ、ＤＳＰ通信と組み合わせた１つ又は複数のマイクロプロセッサ又は他の任意の構成で実現されてもよい。
【０２２１】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び変更を行ってもよく、これらの変形及び変更も本発明の範囲内のものである。
【０２２２】
また、上述の実施例を含む実施形態に関し、更に以下の付記を開示する。
（付記１）
ダウンリンク信号の監視方法であって、
端末装置がアンテナポート疑似コロケーションパラメータに基づいてダウンリンク信号を監視するステップ、を含み、
前記アンテナポート疑似コロケーションパラメータは、第１セル及び／又は第２セルに関連する、方法。
（付記２）
前記第１セルは、前記ダウンリンク信号に対応する参照信号インデックスに関連付けられたセル、前記ダウンリンク信号に対応する物理ランダムアクセスチャネル伝送を送信するセル、及び前記ダウンリンク信号に対応するビーム障害回復手順を開始するセルの少なくとも１つを含む、付記１に記載の方法。
（付記３）
前記第２セルは、端末装置が前記ダウンリンク信号を監視する際に所在するセル、スペシャルセル（Ｓｐｃｅｌｌ）、及び前記スペシャルセル以外の非スペシャルセルの少なくとも１つを含む、付記１に記載の方法。
（付記４）
前記スペシャルセルは、デュアルコネクティビティの場合のマスタセルグループ（ＭＣＧ）のプライマリセル（ＰＣｅｌｌ）、デュアルコネクティビティの場合のセカンダリセルグループ（ＳＣＧ）のプライマリセル（ＰＳＣｅｌｌ）、及び非デュアルコネクティビティの場合のプライマリセルの少なくとも１つを含む、付記３に記載の方法。
（付記５）
前記参照信号インデックスは、上位層により提供され、上位層により構成された候補ビーム参照信号リストから前記端末装置により選択され、
前記参照信号は、チャネル状態情報参照信号、同期信号、物理ブロードキャストチャネルの少なくとも１つを含む、付記２に記載の方法。
（付記６）
前記端末装置は、前記第１セルと前記第２セルとが同一である場合、前記第１セルに関連付けられた参照信号インデックスに関連付けられたアンテナポート疑似コロケーションパラメータに基づいて前記ダウンリンク信号を監視する、付記１乃至５の何れかに記載の方法。
（付記７）
前記端末装置は、前記第１セルと前記第２セルとが異なり、且つ前記ダウンリンク信号を監視するための制御リソースセット（ＣＯＲＥＳＲＴ）に対応するアクティブ化された伝送構成指示（ＴＣＩ）状態がない場合、前記第１セルに関連付けられた参照信号インデックスに関連付けられたアンテナポート疑似コロケーションパラメータに基づいて前記ダウンリンク信号を監視する、付記１乃至５の何れかに記載の方法。
（付記８）
前記端末装置は、前記第１セルと前記第２セルとが異なり、且つ上位層構成パラメータが構成されておらず、或いは第１状態に構成されている場合、前記第１セルに関連付けられた参照信号インデックスに関連付けられたアンテナポート疑似コロケーションパラメータに基づいて前記ダウンリンク信号を監視する、付記１乃至５の何れかに記載の方法。
（付記９）
前記上位層構成パラメータは、ネットワーク装置により構成され、前記疑似コロケーションパラメータを取得するために用いられ、前記上位層構成パラメータは、前記第１状態又は第２状態に構成することができる、付記８に記載の方法。
（付記１０）
前記端末装置は、前記第１セルと前記第２セルとが異なる場合、前記第２セルに関連付けられたアンテナポート疑似コロケーションパラメータに基づいて前記ダウンリンク信号を監視する、付記１乃至５の何れかに記載の方法。
（付記１１）
前記第２セルに関連付けられたアンテナポート疑似コロケーションパラメータは、
前記ダウンリンク信号に対応する物理ランダムアクセスチャネル（ＰＲＡＣＨ）伝送に関連付けられた参照信号のアンテナポート疑似コロケーションパラメータ、
ダウンリンク制御情報と前記ダウンリンク制御情報によりスケジュールされた物理ダウンリンク共有チャネル（ＰＤＳＣＨ）との間隔が所定閾値よりも小さい場合の、前記ＰＤＳＣＨを受信するためのアンテナポート疑似コロケーションパラメータ、
前記ダウンリンク信号を監視するための制御リソースセット（ＣＯＲＥＳＥＴ）に対応するアクティブ化されたＴＣＩ状態に対応するアンテナポート疑似コロケーションパラメータ、
前記ダウンリンク信号を監視するためのＣＯＲＥＳＥＴにアクティブ化されたＴＣＩ状態がない場合の、セルのアクティブ化された帯域幅部分において前記端末装置のために構成された１つ又は複数の制御リソースセットにおける最も低い制御リソースセットインデックスを有する最新のスロットの物理ダウンリンク制御チャネル（ＰＤＣＣＨ）疑似コロケーション指示のためのパラメータ、
前記ダウンリンク信号を監視するためのＣＯＲＥＳＥＴにアクティブ化されたＴＣＩ状態がある場合の、前記ダウンリンク信号を監視するためのＣＯＲＥＳＥＴにおけるアクティブ化されたＴＣＩ状態に対応するアンテナポート疑似コロケーションパラメータ、及び
前記ダウンリンク信号を監視するためのＣＯＲＥＳＥＴにアクティブ化されたＴＣＩ状態がない場合の、セルのアクティブ化された帯域幅部分において前記端末装置のために構成された１つ又は複数の制御リソースセットにおける最も低い制御リソースセットインデックスを有する最新のスロットの物理ダウンリンク制御チャネル（ＰＤＣＣＨ）疑似コロケーション指示のためのパラメータ、前記ダウンリンク信号を監視するためのＣＯＲＥＳＥＴにアクティブ化されたＴＣＩ状態がある場合の、前記ダウンリンク信号を監視するためのＣＯＲＥＳＥＴにおけるアクティブ化されたＴＣＩ状態に対応するアンテナポート疑似コロケーションパラメータの少なくとも１つを含む、付記１０に記載の方法。
（付記１２）
前記端末装置は、前記第１セルと前記第２セルとが異なり、且つ前記ダウンリンク信号を監視するための制御リソースセット（ＣＯＲＥＳＥＴ）に対応するアクティブ化された伝送構成指示（ＴＣＩ）状態がある場合、前記第２セルに関連付けられたアンテナポート疑似コロケーションパラメータに基づいて前記ダウンリンク信号を監視する、付記１乃至５の何れかに記載の方法。
（付記１３）
前記第２セルに関連付けられたアンテナポート疑似コロケーションパラメータは、
前記ダウンリンク信号に対応する物理ランダムアクセスチャネル（ＰＲＡＣＨ）伝送に関連付けられた参照信号のアンテナポート疑似コロケーションパラメータ、
ダウンリンク制御情報と前記ダウンリンク制御情報によりスケジュールされた物理ダウンリンク共有チャネル（ＰＤＳＣＨ）との間隔が所定閾値よりも小さい場合の、前記ＰＤＳＣＨを受信するためのアンテナポート疑似コロケーションパラメータ、
前記ダウンリンク信号を監視するための制御リソースセット（ＣＯＲＥＳＥＴ）に対応するアクティブ化されたＴＣＩ状態に対応するアンテナポート疑似コロケーションパラメータの少なくとも１つを含む、付記１２に記載の方法。
（付記１４）
前記端末装置は、前記第１セルと前記第２セルとが異なり、且つ上位層構成パラメータが構成されておらず、或いは第２状態に構成されている場合、前記第２セルに関連付けられたアンテナポート疑似コロケーションパラメータに基づいて前記ダウンリンク信号を監視する、付記１乃至５の何れかに記載の方法。
（付記１５）
前記第２セルに関連付けられたアンテナポート疑似コロケーションパラメータは、
前記ダウンリンク信号に対応する物理ランダムアクセスチャネル（ＰＲＡＣＨ）伝送に関連付けられた参照信号のアンテナポート疑似コロケーションパラメータ、
ダウンリンク制御情報と前記ダウンリンク制御情報によりスケジュールされた物理ダウンリンク共有チャネル（ＰＤＳＣＨ）との間隔が所定閾値よりも小さい場合の、前記ＰＤＳＣＨを受信するためのアンテナポート疑似コロケーションパラメータ、
前記ダウンリンク信号を監視するための制御リソースセット（ＣＯＲＥＳＥＴ）に対応するアクティブ化されたＴＣＩ状態に対応するアンテナポート疑似コロケーションパラメータ、
前記ダウンリンク信号を監視するためのＣＯＲＥＳＥＴにアクティブ化されたＴＣＩ状態がない場合の、セルのアクティブ化された帯域幅部分において前記端末装置のために構成された１つ又は複数の制御リソースセットにおける最も低い制御リソースセットインデックスを有する最新のスロットの物理ダウンリンク制御チャネル（ＰＤＣＣＨ）疑似コロケーション指示のためのパラメータ、
前記ダウンリンク信号を監視するためのＣＯＲＥＳＥＴにアクティブ化されたＴＣＩ状態がある場合の、前記ダウンリンク信号を監視するためのＣＯＲＥＳＥＴにおけるアクティブ化されたＴＣＩ状態に対応するアンテナポート疑似コロケーションパラメータ、及び
前記ダウンリンク信号を監視するためのＣＯＲＥＳＥＴにアクティブ化されたＴＣＩ状態がない場合の、セルのアクティブ化された帯域幅部分において前記端末装置のために構成された１つ又は複数の制御リソースセットにおける最も低い制御リソースセットインデックスを有する最新のスロットの物理ダウンリンク制御チャネル（ＰＤＣＣＨ）疑似コロケーション指示のためのパラメータ、前記ダウンリンク信号を監視するためのＣＯＲＥＳＥＴにアクティブ化されたＴＣＩ状態がある場合の、前記ダウンリンク信号を監視するためのＣＯＲＥＳＥＴにおけるアクティブ化されたＴＣＩ状態に対応するアンテナポート疑似コロケーションパラメータの少なくとも１つを含む、付記１４に記載の方法。
（付記１６）
前記端末装置が、前記ネットワーク装置により送信された前記ダウンリンク信号を監視するための監視パラメータを受信するステップ、をさらに含み、
前記監視パラメータは、前記端末装置がアンテナポート疑似コロケーションパラメータに基づいて前記ダウンリンク信号を監視するように指示するために用いられる、付記１乃至１５の何れかに記載の方法。
（付記１７）
ダウンリンク信号の送信方法であって、
ネットワーク装置がアンテナポート疑似コロケーションパラメータに基づいて端末装置にダウンリンク信号を送信するステップ、を含み、
前記アンテナポート疑似コロケーションパラメータは、第１セル及び／又は第２セルに関連する、方法。
（付記１８）
前記ネットワーク装置が前記端末装置に、前記ダウンリンク信号を監視するための監視パラメータを送信するステップ、をさらに含み、
前記監視パラメータは、前記端末装置が前記アンテナポート疑似コロケーションパラメータに基づいて前記ダウンリンク信号を監視するように指示するために用いられる、付記１７に記載の方法。
（付記１９）
前記ネットワーク装置が前記端末装置に、上位層構成パラメータを指示するための情報を送信するステップ、をさらに含み、
前記上位層構成パラメータは、前記端末装置がアンテナポート疑似コロケーションパラメータを取得するように指示する、付記１７又は１８に記載の方法。
（付記２０）
前記上位層構成パラメータが構成されておらず、或いは第１状態に構成されている場合、前記上位層構成パラメータは、前記端末装置が同一の疑似コロケーションパラメータを用いて前記第１セル及び前記第２セルのダウンリンク信号を監視するように指示する、付記１９に記載の方法。
（付記２１）
前記上位層構成パラメータは、前記端末装置が前記第１セルに関連付けられた参照信号インデックスに関連付けられたアンテナポート疑似コロケーションパラメータを用いて前記第１セルの前記ダウンリンク信号及び前記第２セルの前記ダウンリンク信号を監視するように指示する、付記２０に記載の方法。
（付記２２）
前記上位層構成パラメータが構成されておらず、或いは第２状態に構成されている場合、前記上位層構成パラメータは、前記端末装置が異なる疑似コロケーションパラメータを用いて前記第１セル及び前記第２セルの前記ダウンリンク信号を監視するように指示する、付記１９に記載の方法。
（付記２３）
前記上位層構成パラメータは、
前記端末装置が前記第１セルに関連付けられた参照信号インデックスに関連付けられたアンテナポート疑似コロケーションパラメータを用いて前記第１セルの前記ダウンリンク信号を監視するように指示し、
前記端末装置が前記第２セルに関連付けられたアンテナポート疑似コロケーションパラメータを用いて前記第２セルの前記ダウンリンク信号を監視するように指示する、付記２２に記載の方法。
（付記２４）
前記上位層構成パラメータは、１つのセルのビーム障害回復構成に含まれ、或いはプライマリセルのビーム障害回復構成のみにおいて構成される、付記１９乃至２３の何れかに記載の方法。
（付記２５）
前記第１セルは、参照信号インデックスに関連付けられたセル、前記ダウンリンク信号に対応する物理ランダムアクセスチャネル伝送を送信するセル、及び前記ダウンリンク信号に対応するビーム障害回復手順を開始するセルの少なくとも１つを含む、付記１７乃至２４の何れかに記載の方法。
（付記２６）
前記第２セルは、前記端末装置が前記ダウンリンク信号を監視する際に所在するセル、スペシャルセル、及び前記スペシャルセル以外の非スペシャルセルの少なくとも１つを含む、付記１７乃至２５の何れかに記載の方法。
（付記２７）
前記スペシャルセルは、デュアルコネクティビティの場合のマスタセルグループ（ＭＣＧ）のプライマリセル（ＰＣｅｌｌ）、デュアルコネクティビティの場合のセカンダリセルグループ（ＳＣＧ）のプライマリセル（ＰＳＣｅｌｌ）、及び非デュアルコネクティビティの場合のプライマリセルの少なくとも１つを含む、付記２６に記載の方法。
（付記２８）
ダウンリンク信号の監視方法であって、
端末装置がアンテナポート疑似コロケーションパラメータに基づいてダウンリンク信号を監視するステップ、を含み、
前記アンテナポート疑似コロケーションパラメータは、第１参照信号インデックス及び第２参照信号インデックスに関連する、方法。
（付記２９）
前記第１参照信号インデックスは、上位層により構成された候補ビームパラメータリストから前記端末装置により選択される、付記２８に記載の方法。
（付記３０）
前記第２参照信号インデックスは、伝送構成指示状態構成情報から前記端末装置により選択される、付記２８に記載の方法。
（付記３１）
前記伝送構成指示状態構成情報は、前記ダウンリンク信号を監視するための制御リソースセットに対応する伝送構成指示状態構成情報である、付記３０に記載の方法。
（付記３２）
前記端末装置は、前記第２参照信号インデックスが提供されている場合、前記第２参照信号インデックスに関連付けられたアンテナポート疑似コロケーションパラメータに基づいて前記ダウンリンク信号を監視し、そうでない場合、前記第１参照信号インデックスに関連付けられたアンテナポート疑似コロケーションパラメータに基づいて前記ダウンリンク信号を監視する、付記２８乃至３１の何れかに記載の方法。
（付記３３）
前記端末装置は、前記第２参照信号インデックスが特定値である場合、前記第２参照信号インデックスに関連付けられたアンテナポート疑似コロケーションパラメータに基づいて前記ダウンリンク信号を監視し、そうでない場合、前記第１参照信号インデックスに関連付けられたアンテナポート疑似コロケーションパラメータに基づいて前記ダウンリンク信号を監視する、付記２８乃至３１の何れかに記載の方法。
（付記３４）
前記端末装置が、前記ネットワーク装置により送信された前記ダウンリンク信号を監視するための監視パラメータを受信するステップ、をさらに含み、
前記監視パラメータは、前記端末装置がアンテナポート疑似コロケーションパラメータに基づいて前記ダウンリンク信号を監視するように指示するために用いられる、付記２８乃至３３の何れかに記載の方法。
（付記３５）
ダウンリンク信号の送信方法であって、
ネットワーク装置がアンテナポート疑似コロケーションパラメータに基づいて端末装置にダウンリンク信号を送信するステップ、を含み、
前記アンテナポート疑似コロケーションパラメータは、第１参照信号インデックス及び第２参照信号インデックスに関連する、方法。
（付記３６）
前記ネットワーク装置が前記端末装置に、前記ダウンリンク信号を監視するための監視パラメータを送信するステップ、をさらに含み、
前記監視パラメータは、前記端末装置が前記アンテナポート疑似コロケーションパラメータに基づいて前記ダウンリンク信号を監視するように指示するために用いられる、付記３５に記載の方法。
（付記３７）
前記第１参照信号インデックスは、上位層により構成された候補ビームパラメータリストから前記端末装置により選択される、付記３５又は３６に記載の方法。
（付記３８）
前記第２参照信号インデックスは、伝送構成指示状態構成情報から前記端末装置により選択される、付記３５又は３６に記載の方法。
（付記３９）
前記伝送構成指示状態構成情報は、前記ダウンリンク信号を監視するための制御リソースセットに対応する伝送構成指示状態構成情報である、付記３８に記載の方法。
（付記４０）
パラメータ構成方法であって、
ネットワーク装置が端末装置に、上位層構成パラメータを指示するための情報を送信するステップ、を含み、
前記上位層構成パラメータは、前記端末装置がアンテナポート疑似コロケーションパラメータを取得するように指示する、方法。
（付記４１）
前記上位層構成パラメータが構成されておらず、或いは第１状態に構成されている場合、前記上位層構成パラメータは、前記端末装置が同一の疑似コロケーションパラメータを用いて前記第１セル及び前記第２セルのダウンリンク信号を監視するように指示する、付記４０に記載の方法。
（付記４２）
前記上位層構成パラメータは、前記端末装置が前記第１セルに関連付けられた参照信号インデックスに関連付けられたアンテナポート疑似コロケーションパラメータを用いて前記第１セルの前記ダウンリンク信号及び前記第２セルの前記ダウンリンク信号を監視するように指示する、付記４１に記載の方法。
（付記４３）
前記上位層構成パラメータが構成されておらず、或いは第２状態に構成されている場合、前記上位層構成パラメータは、前記端末装置が異なる疑似コロケーションパラメータを用いて前記第１セル及び前記第２セルの前記ダウンリンク信号を監視するように指示する、付記４０に記載の方法。
（付記４４）
前記上位層構成パラメータは、
前記端末装置が前記第１セルに関連付けられた参照信号インデックスに関連付けられたアンテナポート疑似コロケーションパラメータを用いて前記第１セルの前記ダウンリンク信号を監視するように指示し、
前記端末装置が前記第２セルに関連付けられたアンテナポート疑似コロケーションパラメータを用いて前記第２セルの前記ダウンリンク信号を監視するように指示する、付記４３に記載の方法。
（付記４５）
前記上位層構成パラメータは、１つのセルのビーム障害回復構成に含まれ、或いはプライマリセルのビーム障害回復構成のみにおいて構成される、付記４０乃至４４の何れかに記載の方法。
（付記４６）
メモリとプロセッサとを含む端末装置であって、前記メモリにはコンピュータプログラムが記憶されており、前記プロセッサは、前記コンピュータプログラムを実行する際に、付記１乃至１６、２８乃至３４の何れかに記載のダウンリンク信号の監視方法を実現するように構成される、端末装置。
（付記４７）
メモリとプロセッサとを含むネットワーク装置であって、前記メモリにはコンピュータプログラムが記憶されており、前記プロセッサは、前記コンピュータプログラムを実行する際に、付記１７乃至２７、３５乃至３９の何れかに記載のダウンリンク信号の送信方法、又は付記４０乃至４５の何れかに記載のパラメータ構成方法を実現するように構成される、ネットワーク装置。
（付記４８）
付記４６に記載の端末装置と、
付記４７に記載のネットワーク装置と、を含む、通信システム。
【図１】
2021532644.tif 000003
【図２】
2021532644.tif 000004
【図３】
2021532644.tif 000005
【図４】
2021532644.tif 000006
【図５】
2021532644.tif 000007
【図６】
2021532644.tif 000008
【図７】
2021532644.tif 000009
【図８】
2021532644.tif 000010
【図９】
2021532644.tif 000011
【図１０】
2021532644.tif 000012
【図１１】
2021532644.tif 000013
【図１２】
2021532644.tif 000014
【図１３】
2021532644.tif 000015
【国際調査報告】
2021532644.tif 000016
2021532644.tif 000017
2021532644.tif 000018
2021532644.tif 000019